(57)【要約】【課題】低コストで小規模から実施することができるだけでなく、エネルギーの使用量のサーバへの不正アップロードを防ぐことができ、排出権取引に関する省エネ活動を適正に換金できる家庭用機器のエネルギー使用量登録方法、携帯機器およびプログラムを得ることを目的とする。【解決手段】携帯機器は位置情報および携帯ＩＤを管理サーバへ送信する。管理サーバは、携帯機器から送信された情報に基づいて携帯機器を認証し、認証結果を携帯機器へ送信する。携帯機器は、管理サーバから送信された認証結果が“ＯＫ”であった場合には消費電力を家庭用機器から収集すると共に計時を開始し、消費電力の管理サーバへのアップロードをユーザに指示させる。携帯機器は、アップロードの指示を受けた場合には、計時の開始から当該アップロードの指示までの経過時間を取得し、所定時間内であった場合には消費電力を管理サーバへ送信する。【選択図】図４
2010102373.tif 000002
【特許請求の範囲】
【請求項１】
家庭用機器と、制御部および記憶部を有する管理サーバと、制御部および記憶部を有する携帯機器とで構成され、前記携帯機器と前記家庭用機器とが通信可能で且つ前記携帯機器と前記管理サーバとが通信可能なシステムにおいて実行される家庭用機器のエネルギー使用量登録方法であって、
前記携帯機器の前記制御部は、当該携帯機器の位置に関する位置情報を取得する位置取得ステップと、
前記携帯機器の前記制御部は、前記位置取得ステップで取得した前記位置情報および当該携帯機器を一意に識別するための当該携帯機器の前記記憶部に記憶された携帯機器識別情報を、前記管理サーバへ送信する位置等送信ステップと、
前記管理サーバの前記制御部は、前記携帯機器から送信された前記位置情報および前記携帯機器識別情報を受信する位置等受信ステップと、
前記管理サーバの前記制御部は、前記位置等受信ステップで受信した前記位置情報および前記携帯機器識別情報ならびに前記携帯機器のユーザに関する当該管理サーバの前記記憶部に記憶されたユーザ情報に基づいて、当該携帯機器識別情報が登録済みのものであり且つ当該位置情報が正しいものであるか否かを認証する認証ステップと、
前記管理サーバの前記制御部は、前記認証ステップでの認証結果を、前記位置等受信ステップで受信した前記携帯機器識別情報に対応する前記携帯機器へ送信する結果送信ステップと、
前記携帯機器の前記制御部は、前記管理サーバから送信された前記認証結果を受信する結果受信ステップと、
前記携帯機器の前記制御部は、前記結果受信ステップで受信した前記認証結果が、前記携帯機器識別情報が登録済みのものであり且つ前記位置情報が正しいものであるというものであった場合には、前記家庭用機器で使用されたエネルギーの使用量を当該家庭用機器から収集し、その一方で計時を開始する使用量収集等実行ステップと、
前記携帯機器の前記制御部は、前記使用量収集等実行ステップで収集した前記使用量の前記管理サーバへのアップロードを、前記ユーザに指示させる指示ステップと、
前記携帯機器の前記制御部は、前記アップロードの指示を受けた場合には、前記計時の開始から当該アップロードの指示までの経過時間を取得する時間取得ステップと、
前記携帯機器の前記制御部は、前記時間取得ステップで取得した前記経過時間が所定時間内であった場合には、前記使用量収集等実行ステップで収集した前記使用量を前記管理サーバへ送信する使用量送信ステップと、
を含むことを特徴とする家庭用機器のエネルギー使用量登録方法。
【請求項２】
前記使用量収集等実行ステップにおいて、前記携帯機器の前記制御部は、前記場合には、さらに、前記携帯機器が前記家庭用機器から前記使用量を収集することができる時間である前記管理サーバの前記記憶部に記憶された収集可能時間および前記携帯機器が前記管理サーバへ前記使用量をアップロードすることができる時間である前記管理サーバの前記記憶部に記憶されたアップロード可能時間を、前記管理サーバから取得し、その一方で前記計時の開始から前記使用量の収集までの経過時間を取得し、
前記指示ステップにおいて、前記携帯機器の前記制御部は、前記使用量収集等実行ステップで取得した前記経過時間が前記収集可能時間内であった場合には、前記アップロードを前記ユーザに指示させ、
前記時間取得ステップにおいて、前記携帯機器の前記制御部は、前記場合には、前記計時の開始または前記使用量の収集から前記アップロードの指示までの経過時間を取得し、
前記使用量送信ステップにおいて、前記携帯機器の前記制御部は、前記時間取得ステップで取得した前記経過時間が前記アップロード可能時間内であった場合には、前記使用量を前記管理サーバへ送信すること、
を特徴とする請求項１に記載の家庭用機器のエネルギー使用量登録方法。
【請求項３】
家庭用機器と、制御部および記憶部を有する管理サーバと、制御部および記憶部を有する携帯機器とで構成され、前記携帯機器と前記家庭用機器とが通信可能で且つ前記携帯機器と前記管理サーバとが通信可能なシステムにおいて実行される家庭用機器のエネルギー使用量登録方法であって、
前記携帯機器の前記制御部は、前記家庭用機器で使用されたエネルギーの使用量を当該家庭用機器から収集し、その一方で計時を開始する使用量収集等実行ステップと、
前記携帯機器の前記制御部は、前記使用量収集等実行ステップで収集した前記使用量の前記管理サーバへのアップロードを、当該携帯機器のユーザに指示させる指示ステップと、
前記携帯機器の前記制御部は、前記アップロードの指示を受けた場合には、前記計時の開始から当該アップロードの指示までの経過時間を取得する時間取得ステップと、
前記携帯機器の前記制御部は、前記時間取得ステップで取得した前記経過時間が所定時間内であった場合には、当該携帯機器の位置に関する位置情報を取得する位置取得ステップと、
前記携帯機器の前記制御部は、前記位置取得ステップで取得した前記位置情報および当該携帯機器を一意に識別するための当該携帯機器の前記記憶部に記憶された携帯機器識別情報を、前記管理サーバへ送信する位置等送信ステップと、
前記管理サーバの前記制御部は、前記携帯機器から送信された前記位置情報および前記携帯機器識別情報を受信する位置等受信ステップと、
前記管理サーバの前記制御部は、前記位置等受信ステップで受信した前記位置情報および前記携帯機器識別情報ならびに前記ユーザに関する当該管理サーバの前記記憶部に記憶されたユーザ情報に基づいて、当該携帯機器識別情報が登録済みのものであり且つ当該位置情報が正しいものであるか否かを認証する認証ステップと、
前記管理サーバの前記制御部は、前記認証ステップでの認証結果を、前記位置等受信ステップで受信した前記携帯機器識別情報に対応する前記携帯機器へ送信する結果送信ステップと、
前記携帯機器の前記制御部は、前記管理サーバから送信された前記認証結果を受信する結果受信ステップと、
前記携帯機器の前記制御部は、前記結果受信ステップで受信した前記認証結果が、前記携帯機器識別情報が登録済みのものであり且つ前記位置情報が正しいものであるというものであった場合には、前記使用量収集等実行ステップで収集した前記使用量を前記管理サーバへ送信する使用量送信ステップと、
を含むことを特徴とする家庭用機器のエネルギー使用量登録方法。
【請求項４】
前記使用量収集等実行ステップにおいて、前記携帯機器の前記制御部は、さらに、前記携帯機器が前記家庭用機器から前記使用量を収集することができる時間である前記管理サーバの前記記憶部に記憶された収集可能時間および前記携帯機器が前記管理サーバへ前記使用量をアップロードすることができる時間である前記管理サーバの前記記憶部に記憶されたアップロード可能時間を、前記管理サーバから取得し、その一方で前記計時の開始から前記使用量の収集までの経過時間を取得し、
前記指示ステップにおいて、前記携帯機器の前記制御部は、前記使用量収集等実行ステップで取得した前記経過時間が前記収集可能時間内であった場合には、前記アップロードを前記ユーザに指示させ、
前記時間取得ステップにおいて、前記携帯機器の前記制御部は、前記場合には、前記計時の開始または前記使用量の収集から前記アップロードの指示までの経過時間を取得し、
前記位置取得ステップにおいて、前記携帯機器の前記制御部は、前記時間取得ステップで取得した前記経過時間が前記アップロード可能時間内であった場合には、前記位置情報を取得すること、
を特徴とする請求項３に記載の家庭用機器のエネルギー使用量登録方法。
【請求項５】
家庭用機器と、制御部および記憶部を有する管理サーバと、制御部および記憶部を有する携帯機器とで構成され、前記携帯機器と前記家庭用機器とが通信可能で且つ前記携帯機器と前記管理サーバとが通信可能なシステムにおいて実行される家庭用機器のエネルギー使用量登録方法であって、
前記携帯機器の前記制御部は、当該携帯機器の位置に関する位置情報を取得する位置取得ステップと、
前記携帯機器の前記制御部は、前記位置取得ステップで取得した前記位置情報および当該携帯機器を一意に識別するための当該携帯機器の前記記憶部に記憶された携帯機器識別情報を、前記管理サーバへ送信する位置等送信ステップと、
前記管理サーバの前記制御部は、前記携帯機器から送信された前記位置情報および前記携帯機器識別情報を受信する位置等受信ステップと、
前記管理サーバの前記制御部は、前記位置等受信ステップで受信した前記位置情報および前記携帯機器識別情報ならびに前記携帯機器のユーザに関する当該管理サーバの前記記憶部に記憶されたユーザ情報に基づいて、当該携帯機器識別情報が登録済みのものであり且つ当該位置情報が正しいものであるか否かを認証する認証ステップと、
前記管理サーバの前記制御部は、前記認証ステップでの認証結果を、前記位置等受信ステップで受信した前記携帯機器識別情報に対応する前記携帯機器へ送信する結果送信ステップと、
前記携帯機器の前記制御部は、前記管理サーバから送信された前記認証結果を受信する結果受信ステップと、
前記携帯機器の前記制御部は、前記結果受信ステップで受信した前記認証結果が、前記携帯機器識別情報が登録済みのものであり且つ前記位置情報が正しいものであるというものであった場合には、前記家庭用機器で使用されたエネルギーの使用量を当該家庭用機器から収集する使用量収集実行ステップと、
前記携帯機器の前記制御部は、前記使用量収集実行ステップで収集した前記使用量の前記管理サーバへのアップロードを、前記ユーザに指示させる指示ステップと、
前記携帯機器の前記制御部は、前記アップロードの指示を受けた場合には、当該携帯機器と前記使用量収集実行ステップで前記使用量が収集された前記家庭用機器との距離を検知する距離検知ステップと、
前記携帯機器の前記制御部は、前記距離検知ステップで検知した前記距離が所定距離内であった場合には、前記使用量収集実行ステップで収集した前記使用量を前記管理サーバへ送信する使用量送信ステップと、
を含むことを特徴とする家庭用機器のエネルギー使用量登録方法。
【請求項６】
前記使用量収集実行ステップにおいて、前記携帯機器の前記制御部は、前記場合には、複数の前記家庭用機器に対して前記使用量の収集を実行し、
前記距離検知ステップにおいて、前記携帯機器の前記制御部は、前記場合には、前記使用量収集実行ステップで前記使用量が収集された複数の前記家庭用機器に対して当該携帯機器と当該家庭用機器との距離の検知を実行し、前記使用量収集実行ステップで収集した前記使用量と当該検知した前記距離とを対応付けて保持し、
前記使用量送信ステップにおいて、前記携帯機器の前記制御部は、前記距離検知ステップで検知した各々の前記距離が前記所定距離内であるか否かを判定し、当該所定距離内であると判定された前記距離と対応付けて保持している前記使用量を前記管理サーバへ送信すること、
を特徴とする請求項５に記載の家庭用機器のエネルギー使用量登録方法。
【請求項７】
家庭用機器と、制御部および記憶部を有する管理サーバと、制御部および記憶部を有する携帯機器とで構成され、前記携帯機器と前記家庭用機器とが通信可能で且つ前記携帯機器と前記管理サーバとが通信可能なシステムにおいて実行される家庭用機器のエネルギー使用量登録方法であって、
前記携帯機器の前記制御部は、前記家庭用機器で使用されたエネルギーの使用量を当該家庭用機器から収集する使用量収集実行ステップと、
前記携帯機器の前記制御部は、前記使用量収集実行ステップで収集した前記使用量の前記管理サーバへのアップロードを、当該携帯機器のユーザに指示させる指示ステップと、
前記携帯機器の前記制御部は、前記アップロードの指示を受けた場合には、当該携帯機器と前記使用量収集実行ステップで前記使用量が収集された前記家庭用機器との距離を検知する距離検知ステップと、
前記携帯機器の前記制御部は、前記距離検知ステップで検知した前記距離が所定距離内であった場合には、当該携帯機器の位置に関する位置情報を取得する位置取得ステップと、
前記携帯機器の前記制御部は、前記位置取得ステップで取得した前記位置情報および当該携帯機器を一意に識別するための当該携帯機器の前記記憶部に記憶された携帯機器識別情報を、前記管理サーバへ送信する位置等送信ステップと、
前記管理サーバの前記制御部は、前記携帯機器から送信された前記位置情報および前記携帯機器識別情報を受信する位置等受信ステップと、
前記管理サーバの前記制御部は、前記位置等受信ステップで受信した前記位置情報および前記携帯機器識別情報ならびに前記ユーザに関する当該管理サーバの前記記憶部に記憶されたユーザ情報に基づいて、当該携帯機器識別情報が登録済みのものであり且つ当該位置情報が正しいものであるか否かを認証する認証ステップと、
前記管理サーバの前記制御部は、前記認証ステップでの認証結果を、前記位置等受信ステップで受信した前記携帯機器識別情報に対応する前記携帯機器へ送信する結果送信ステップと、
前記携帯機器の前記制御部は、前記管理サーバから送信された前記認証結果を受信する結果受信ステップと、
前記携帯機器の前記制御部は、前記結果受信ステップで受信した前記認証結果が、前記携帯機器識別情報が登録済みのものであり且つ前記位置情報が正しいものであるというものであった場合には、前記使用量収集実行ステップで収集した前記使用量を前記管理サーバへ送信する使用量送信ステップと、
を含むことを特徴とする家庭用機器のエネルギー使用量登録方法。
【請求項８】
前記使用量収集実行ステップにおいて、前記携帯機器の前記制御部は、複数の前記家庭用機器に対して前記使用量の収集を実行し、
前記距離検知ステップにおいて、前記携帯機器の前記制御部は、前記場合には、前記使用量収集実行ステップで前記使用量が収集された複数の前記家庭用機器のうちの少なくとも１つの前記家庭用機器に対して当該携帯機器と当該家庭用機器との距離の検知を実行し、前記使用量収集実行ステップで収集した前記使用量と当該検知した前記距離とを対応付けて保持し、
前記位置取得ステップにおいて、前記携帯機器の前記制御部は、前記距離検知ステップで検知した各々の前記距離が前記所定距離内であるか否かを判定し、当該検知した前記距離が当該所定距離内であると判定された場合には、前記位置情報を取得し、
前記使用量送信ステップにおいて、前記携帯機器の前記制御部は、前記場合には、前記位置取得ステップで前記所定距離内であると判定された前記距離と対応付けて保持している前記使用量を前記管理サーバへ送信すること、
を特徴とする請求項７に記載の家庭用機器のエネルギー使用量登録方法。
【請求項９】
家庭用機器と、制御部および記憶部を有する管理サーバと、制御部および記憶部を有する携帯機器とで構成され、前記携帯機器と前記家庭用機器とが通信可能で且つ前記携帯機器と前記管理サーバとが通信可能なシステムにおいて実行される家庭用機器のエネルギー使用量登録方法であって、
前記携帯機器の前記制御部は、当該携帯機器の位置に関する位置情報を取得する位置取得ステップと、
前記携帯機器の前記制御部は、前記位置取得ステップで取得した前記位置情報および当該携帯機器を一意に識別するための当該携帯機器の前記記憶部に記憶された携帯機器識別情報を、前記管理サーバへ送信する位置等送信ステップと、
前記管理サーバの前記制御部は、前記携帯機器から送信された前記位置情報および前記携帯機器識別情報を受信する位置等受信ステップと、
前記管理サーバの前記制御部は、前記位置等受信ステップで受信した前記位置情報および前記携帯機器識別情報ならびに前記携帯機器のユーザに関する当該管理サーバの前記記憶部に記憶されたユーザ情報に基づいて、当該携帯機器識別情報が登録済みのものであり且つ当該位置情報が正しいものであるか否かを認証する認証ステップと、
前記管理サーバの前記制御部は、前記認証ステップでの認証結果を、前記位置等受信ステップで受信した前記携帯機器識別情報に対応する前記携帯機器へ送信する結果送信ステップと、
前記携帯機器の前記制御部は、前記管理サーバから送信された前記認証結果を受信する結果受信ステップと、
前記携帯機器の前記制御部は、前記結果受信ステップで受信した前記認証結果が、前記携帯機器識別情報が登録済みのものであり且つ前記位置情報が正しいものであるというものであった場合には、前記家庭用機器で使用されたエネルギーの使用量を複数の前記家庭用機器から収集する使用量収集ステップと、
前記携帯機器の前記制御部は、前記使用量収集ステップで収集した前記使用量の前記管理サーバへのアップロードを、前記ユーザに指示させる指示ステップと、
前記携帯機器の前記制御部は、前記アップロードの指示を受けた場合には、前記使用量を収集する順序に関する前記管理サーバの前記記憶部に記憶された収集ルールを、前記管理サーバから取得するルール取得ステップと、
前記携帯機器の前記制御部は、前記使用量収集ステップで前記使用量を収集した時の収集順序が前記ルール取得ステップで取得した前記収集ルールと一致するか否かを判定する判定ステップと、
前記携帯機器の前記制御部は、前記判定ステップでの判定結果が、前記収集ルールと一致するというものであった場合には、前記使用量収集ステップで収集した前記使用量を前記管理サーバへ送信する使用量送信ステップと、
を含むことを特徴とする家庭用機器のエネルギー使用量登録方法。
【請求項１０】
家庭用機器と、制御部および記憶部を有する管理サーバと、制御部および記憶部を有する携帯機器とで構成され、前記携帯機器と前記家庭用機器とが通信可能で且つ前記携帯機器と前記管理サーバとが通信可能なシステムにおいて実行される家庭用機器のエネルギー使用量登録方法であって、
前記携帯機器の前記制御部は、前記家庭用機器で使用されたエネルギーの使用量を複数の前記家庭用機器から収集する使用量収集ステップと、
前記携帯機器の前記制御部は、前記使用量収集ステップで収集した前記使用量の前記管理サーバへのアップロードを、当該携帯機器のユーザに指示させる指示ステップと、
前記携帯機器の前記制御部は、前記アップロードの指示を受けた場合には、前記使用量を収集する順序に関する前記管理サーバの前記記憶部に記憶された収集ルールを、前記管理サーバから取得するルール取得ステップと、
前記携帯機器の前記制御部は、前記使用量収集ステップで前記使用量を収集した時の収集順序が前記ルール取得ステップで取得した前記収集ルールと一致するか否かを判定する判定ステップと、
前記携帯機器の前記制御部は、前記判定ステップでの判定結果が、前記収集ルールと一致するというものであった場合には、当該携帯機器の位置に関する位置情報を取得する位置取得ステップと、
前記携帯機器の前記制御部は、前記位置取得ステップで取得した前記位置情報および当該携帯機器を一意に識別するための当該携帯機器の前記記憶部に記憶された携帯機器識別情報を、前記管理サーバへ送信する位置等送信ステップと、
前記管理サーバの前記制御部は、前記携帯機器から送信された前記位置情報および前記携帯機器識別情報を受信する位置等受信ステップと、
前記管理サーバの前記制御部は、前記位置等受信ステップで受信した前記位置情報および前記携帯機器識別情報ならびに前記ユーザに関する当該管理サーバの前記記憶部に記憶されたユーザ情報に基づいて、当該携帯機器識別情報が登録済みのものであり且つ当該位置情報が正しいものであるか否かを認証する認証ステップと、
前記管理サーバの前記制御部は、前記認証ステップでの認証結果を、前記位置等受信ステップで受信した前記携帯機器識別情報に対応する前記携帯機器へ送信する結果送信ステップと、
前記携帯機器の前記制御部は、前記管理サーバから送信された前記認証結果を受信する結果受信ステップと、
前記携帯機器の前記制御部は、前記結果受信ステップで受信した前記認証結果が、前記携帯機器識別情報が登録済みのものであり且つ前記位置情報が正しいものであるというものであった場合には、前記使用量収集ステップで収集した前記使用量を前記管理サーバへ送信する使用量送信ステップと、
を含むことを特徴とする家庭用機器のエネルギー使用量登録方法。
【請求項１１】
家庭用機器および管理サーバと通信可能な、制御部および記憶部を有する携帯機器であって、
前記記憶部は、
当該携帯機器を一意に識別するための携帯機器識別情報を記憶した識別情報記憶手段
を備え、
前記制御部は、
当該携帯機器の位置に関する位置情報を取得する位置取得手段と、
前記位置取得手段で取得した前記位置情報および前記識別情報記憶手段に記憶された前記携帯機器識別情報を、前記管理サーバへ送信する位置等送信手段と、
前記携帯機器識別情報が登録済みのものであり且つ前記位置情報が正しいものであるか否かに関する前記管理サーバから送信された認証結果を受信する結果受信手段と、
前記結果受信手段で受信した前記認証結果が、前記携帯機器識別情報が登録済みのものであり且つ前記位置情報が正しいものであるというものであった場合には、前記家庭用機器で使用されたエネルギーの使用量を当該家庭用機器から収集し、その一方で計時を開始する使用量収集等実行手段と、
前記使用量収集等実行手段で収集した前記使用量の前記管理サーバへのアップロードを、ユーザに指示させる指示手段と、
前記アップロードの指示を受けた場合には、前記計時の開始から当該アップロードの指示までの経過時間を取得する時間取得手段と、
前記時間取得手段で取得した前記経過時間が所定時間内であった場合には、前記使用量収集等実行手段で収集した前記使用量を前記管理サーバへ送信する使用量送信手段と、
を備えたことを特徴とする携帯機器。
【請求項１２】
前記使用量収集等実行手段は、前記場合には、さらに、前記携帯機器が前記家庭用機器から前記使用量を収集することができる時間である前記管理サーバに記憶された収集可能時間および前記携帯機器が前記管理サーバへ前記使用量をアップロードすることができる時間である前記管理サーバに記憶されたアップロード可能時間を、前記管理サーバから取得し、その一方で前記計時の開始から前記使用量の収集までの経過時間を取得し、
前記指示手段は、前記使用量収集等実行手段で取得した前記経過時間が前記収集可能時間内であった場合には、前記アップロードを前記ユーザに指示させ、
前記時間取得手段は、前記場合には、前記計時の開始または前記使用量の収集から前記アップロードの指示までの経過時間を取得し、
前記使用量送信手段は、前記時間取得手段で取得した前記経過時間が前記アップロード可能時間内であった場合には、前記使用量を前記管理サーバへ送信すること、
を特徴とする請求項１１に記載の携帯機器。
【請求項１３】
家庭用機器および管理サーバと通信可能な、制御部および記憶部を有する携帯機器であって、
前記記憶部は、
当該携帯機器を一意に識別するための携帯機器識別情報を記憶した識別情報記憶手段
を備え、
前記制御部は、
前記家庭用機器で使用されたエネルギーの使用量を当該家庭用機器から収集し、その一方で計時を開始する使用量収集等実行手段と、
前記使用量収集等実行手段で収集した前記使用量の前記管理サーバへのアップロードを、ユーザに指示させる指示手段と、
前記アップロードの指示を受けた場合には、前記計時の開始から当該アップロードの指示までの経過時間を取得する時間取得手段と、
前記時間取得手段で取得した前記経過時間が所定時間内であった場合には、当該携帯機器の位置に関する位置情報を取得する位置取得手段と、
前記位置取得手段で取得した前記位置情報および前記識別情報記憶手段に記憶された前記携帯機器識別情報を、前記管理サーバへ送信する位置等送信手段と、
前記携帯機器識別情報が登録済みのものであり且つ前記位置情報が正しいものであるか否かに関する前記管理サーバから送信された認証結果を受信する結果受信手段と、
前記結果受信手段で受信した前記認証結果が、前記携帯機器識別情報が登録済みのものであり且つ前記位置情報が正しいものであるというものであった場合には、前記使用量収集等実行手段で収集した前記使用量を前記管理サーバへ送信する使用量送信手段と、
を備えたことを特徴とする携帯機器。
【請求項１４】
前記使用量収集等実行手段は、さらに、前記携帯機器が前記家庭用機器から前記使用量を収集することができる時間である前記管理サーバに記憶された収集可能時間および前記携帯機器が前記管理サーバへ前記使用量をアップロードすることができる時間である前記管理サーバに記憶されたアップロード可能時間を、前記管理サーバから取得し、その一方で前記計時の開始から前記使用量の収集までの経過時間を取得し、
前記指示手段は、前記使用量収集等実行手段で取得した前記経過時間が前記収集可能時間内であった場合には、前記アップロードを前記ユーザに指示させ、
前記時間取得手段は、前記場合には、前記計時の開始または前記使用量の収集から前記アップロードの指示までの経過時間を取得し、
前記位置取得手段は、前記時間取得手段で取得した前記経過時間が前記アップロード可能時間内であった場合には、前記位置情報を取得すること、
を特徴とする請求項１３に記載の携帯機器。
【請求項１５】
家庭用機器および管理サーバと通信可能な、制御部および記憶部を有する携帯機器であって、
前記記憶部は、
当該携帯機器を一意に識別するための携帯機器識別情報を記憶した識別情報記憶手段
を備え、
前記制御部は、
当該携帯機器の位置に関する位置情報を取得する位置取得手段と、
前記位置取得手段で取得した前記位置情報および前記識別情報記憶手段に記憶された前記携帯機器識別情報を、前記管理サーバへ送信する位置等送信手段と、
前記携帯機器識別情報が登録済みのものであり且つ前記位置情報が正しいものであるか否かに関する前記管理サーバから送信された認証結果を受信する結果受信手段と、
前記結果受信手段で受信した前記認証結果が、前記携帯機器識別情報が登録済みのものであり且つ前記位置情報が正しいものであるというものであった場合には、前記家庭用機器で使用されたエネルギーの使用量を当該家庭用機器から収集する使用量収集実行手段と、
前記使用量収集実行手段で収集した前記使用量の前記管理サーバへのアップロードを、ユーザに指示させる指示手段と、
前記アップロードの指示を受けた場合には、当該携帯機器と前記使用量収集実行手段で前記使用量が収集された前記家庭用機器との距離を検知する距離検知手段と、
前記距離検知手段で検知した前記距離が所定距離内であった場合には、前記使用量収集実行手段で収集した前記使用量を前記管理サーバへ送信する使用量送信手段と、
を備えたことを特徴とする携帯機器。
【請求項１６】
前記使用量収集実行手段は、前記場合には、複数の前記家庭用機器に対して前記使用量の収集を実行し、
前記距離検知手段は、前記場合には、前記使用量収集実行手段で前記使用量が収集された複数の前記家庭用機器に対して当該携帯機器と当該家庭用機器との距離の検知を実行し、前記使用量収集実行手段で収集した前記使用量と当該検知した前記距離とを対応付けて保持し、
前記使用量送信手段は、前記距離検知手段で検知した各々の前記距離が前記所定距離内であるか否かを判定し、当該所定距離内であると判定された前記距離と対応付けて保持している前記使用量を前記管理サーバへ送信すること、
を特徴とする請求項１５に記載の携帯機器。
【請求項１７】
家庭用機器および管理サーバと通信可能な、制御部および記憶部を有する携帯機器であって、
前記記憶部は、
当該携帯機器を一意に識別するための携帯機器識別情報を記憶した識別情報記憶手段
を備え、
前記制御部は、
前記家庭用機器で使用されたエネルギーの使用量を当該家庭用機器から収集する使用量収集実行手段と、
前記使用量収集実行手段で収集した前記使用量の前記管理サーバへのアップロードを、ユーザに指示させる指示手段と、
前記アップロードの指示を受けた場合には、当該携帯機器と前記使用量収集実行手段で前記使用量が収集された前記家庭用機器との距離を検知する距離検知手段と、
前記距離検知手段で検知した前記距離が所定距離内であった場合には、当該携帯機器の位置に関する位置情報を取得する位置取得手段と、
前記位置取得手段で取得した前記位置情報および前記識別情報記憶手段に記憶された前記携帯機器識別情報を、前記管理サーバへ送信する位置等送信手段と、
前記携帯機器識別情報が登録済みのものであり且つ前記位置情報が正しいものであるか否かに関する前記管理サーバから送信された認証結果を受信する結果受信手段と、
前記結果受信手段で受信した前記認証結果が、前記携帯機器識別情報が登録済みのものであり且つ前記位置情報が正しいものであるというものであった場合には、前記使用量収集実行手段で収集した前記使用量を前記管理サーバへ送信する使用量送信手段と、
を備えたことを特徴とする携帯機器。
【請求項１８】
前記使用量収集実行手段は、複数の前記家庭用機器に対して前記使用量の収集を実行し、
前記距離検知手段は、前記場合には、前記使用量収集実行手段で前記使用量が収集された複数の前記家庭用機器のうちの少なくとも１つの前記家庭用機器に対して当該携帯機器と当該家庭用機器との距離の検知を実行し、前記使用量収集実行手段で収集した前記使用量と当該検知した前記距離とを対応付けて保持し、
前記位置取得手段は、前記距離検知手段で検知した各々の前記距離が前記所定距離内であるか否かを判定し、当該検知した前記距離が当該所定距離内であると判定された場合には、前記位置情報を取得し、
前記使用量送信手段は、前記場合には、前記位置取得手段で前記所定距離内であると判定された前記距離と対応付けて保持している前記使用量を前記管理サーバへ送信すること、
を特徴とする請求項１７に記載の携帯機器。
【請求項１９】
家庭用機器および管理サーバと通信可能な、制御部および記憶部を有する携帯機器であって、
前記記憶部は、
当該携帯機器を一意に識別するための携帯機器識別情報を記憶した識別情報記憶手段
を備え、
前記制御部は、
当該携帯機器の位置に関する位置情報を取得する位置取得手段と、
前記位置取得手段で取得した前記位置情報および前記識別情報記憶手段に記憶された前記携帯機器識別情報を、前記管理サーバへ送信する位置等送信手段と、
前記携帯機器識別情報が登録済みのものであり且つ前記位置情報が正しいものであるか否かに関する前記管理サーバから送信された認証結果を受信する結果受信手段と、
前記結果受信手段で受信した前記認証結果が、前記携帯機器識別情報が登録済みのものであり且つ前記位置情報が正しいものであるというものであった場合には、前記家庭用機器で使用されたエネルギーの使用量を複数の前記家庭用機器から収集する使用量収集手段と、
前記使用量収集手段で収集した前記使用量の前記管理サーバへのアップロードを、ユーザに指示させる指示手段と、
前記アップロードの指示を受けた場合には、前記使用量を収集する順序に関する前記管理サーバに記憶された収集ルールを前記管理サーバから取得するルール取得手段と、
前記使用量収集手段で前記使用量を収集した時の収集順序が前記ルール取得手段で取得した前記収集ルールと一致するか否かを判定する判定手段と、
前記判定手段での判定結果が、前記収集ルールと一致するというものであった場合には、前記使用量収集手段で収集した前記使用量を前記管理サーバへ送信する使用量送信手段と、
を備えたことを特徴とする携帯機器。
【請求項２０】
家庭用機器および管理サーバと通信可能な、制御部および記憶部を有する携帯機器であって、
前記記憶部は、
当該携帯機器を一意に識別するための携帯機器識別情報を記憶した識別情報記憶手段
を備え、
前記制御部は、
前記家庭用機器で使用されたエネルギーの使用量を複数の前記家庭用機器から収集する使用量収集手段と、
前記使用量収集手段で収集した前記使用量の前記管理サーバへのアップロードを、ユーザに指示させる指示手段と、
前記アップロードの指示を受けた場合には、前記使用量を収集する順序に関する前記管理サーバに記憶された収集ルールを前記管理サーバから取得するルール取得手段と、
前記使用量収集手段で前記使用量を収集した時の収集順序が前記ルール取得手段で取得した前記収集ルールと一致するか否かを判定する判定手段と、
前記判定手段での判定結果が、前記収集ルールと一致するというものであった場合には、当該携帯機器の位置に関する位置情報を取得する位置取得手段と、
前記位置取得手段で取得した前記位置情報および前記識別情報記憶手段に記憶された前記携帯機器識別情報を、前記管理サーバへ送信する位置等送信手段と、
前記携帯機器識別情報が登録済みのものであり且つ前記位置情報が正しいものであるか否かに関する前記管理サーバから送信された認証結果を受信する結果受信手段と、
前記結果受信手段で受信した前記認証結果が、前記携帯機器識別情報が登録済みのものであり且つ前記位置情報が正しいものであるというものであった場合には、前記使用量収集手段で収集した前記使用量を前記管理サーバへ送信する使用量送信手段と、
を備えたことを特徴とする携帯機器。
【請求項２１】
家庭用機器および管理サーバと通信可能な、制御部および記憶部を有する携帯機器に実行させるためのプログラムであって、
当該携帯機器の前記制御部に実行させるための、
当該携帯機器の位置に関する位置情報を取得する位置取得ステップと、
前記位置取得ステップで取得した前記位置情報および当該携帯機器を一意に識別するための当該携帯機器の前記記憶部に記憶された携帯機器識別情報を、前記管理サーバへ送信する位置等送信ステップと、
前記携帯機器識別情報が登録済みのものであり且つ前記位置情報が正しいものであるか否かに関する前記管理サーバから送信された認証結果を受信する結果受信ステップと、
前記結果受信ステップで受信した前記認証結果が、前記携帯機器識別情報が登録済みのものであり且つ前記位置情報が正しいものであるというものであった場合には、前記家庭用機器で使用されたエネルギーの使用量を当該家庭用機器から収集し、その一方で計時を開始する使用量収集等実行ステップと、
前記使用量収集等実行ステップで収集した前記使用量の前記管理サーバへのアップロードを、ユーザに指示させる指示ステップと、
前記アップロードの指示を受けた場合には、前記計時の開始から当該アップロードの指示までの経過時間を取得する時間取得ステップと、
前記時間取得ステップで取得した前記経過時間が所定時間内であった場合には、前記使用量収集等実行ステップで収集した前記使用量を前記管理サーバへ送信する使用量送信ステップと、
を含むことを特徴とするプログラム。
【請求項２２】
前記使用量収集等実行ステップは、前記場合には、さらに、前記携帯機器が前記家庭用機器から前記使用量を収集することができる時間である前記管理サーバに記憶された収集可能時間および前記携帯機器が前記管理サーバへ前記使用量をアップロードすることができる時間である前記管理サーバに記憶されたアップロード可能時間を、前記管理サーバから取得し、その一方で前記計時の開始から前記使用量の収集までの経過時間を取得し、
前記指示ステップは、前記使用量収集等実行ステップで取得した前記経過時間が前記収集可能時間内であった場合には、前記アップロードを前記ユーザに指示させ、
前記時間取得ステップは、前記場合には、前記計時の開始または前記使用量の収集から前記アップロードの指示までの経過時間を取得し、
前記使用量送信ステップは、前記時間取得ステップで取得した前記経過時間が前記アップロード可能時間内であった場合には、前記使用量を前記管理サーバへ送信すること、
を特徴とする請求項２１に記載のプログラム。
【請求項２３】
家庭用機器および管理サーバと通信可能な、制御部および記憶部を有する携帯機器に実行させるためのプログラムであって、
当該携帯機器の前記制御部に実行させるための、
前記家庭用機器で使用されたエネルギーの使用量を当該家庭用機器から収集し、その一方で計時を開始する使用量収集等実行ステップと、
前記使用量収集等実行ステップで収集した前記使用量の前記管理サーバへのアップロードを、ユーザに指示させる指示ステップと、
前記アップロードの指示を受けた場合には、前記計時の開始から当該アップロードの指示までの経過時間を取得する時間取得ステップと、
前記時間取得ステップで取得した前記経過時間が所定時間内であった場合には、当該携帯機器の位置に関する位置情報を取得する位置取得ステップと、
前記位置取得ステップで取得した前記位置情報および当該携帯機器を一意に識別するための当該携帯機器の前記記憶部に記憶された携帯機器識別情報を、前記管理サーバへ送信する位置等送信ステップと、
前記携帯機器識別情報が登録済みのものであり且つ前記位置情報が正しいものであるか否かに関する前記管理サーバから送信された認証結果を受信する結果受信ステップと、
前記結果受信ステップで受信した前記認証結果が、前記携帯機器識別情報が登録済みのものであり且つ前記位置情報が正しいものであるというものであった場合には、前記使用量収集等実行ステップで収集した前記使用量を前記管理サーバへ送信する使用量送信ステップと、
を含むことを特徴とするプログラム。
【請求項２４】
前記使用量収集等実行ステップは、さらに、前記携帯機器が前記家庭用機器から前記使用量を収集することができる時間である前記管理サーバに記憶された収集可能時間および前記携帯機器が前記管理サーバへ前記使用量をアップロードすることができる時間である前記管理サーバに記憶されたアップロード可能時間を、前記管理サーバから取得し、その一方で前記計時の開始から前記使用量の収集までの経過時間を取得し、
前記指示ステップは、前記使用量収集等実行ステップで取得した前記経過時間が前記収集可能時間内であった場合には、前記アップロードを前記ユーザに指示させ、
前記時間取得ステップは、前記場合には、前記計時の開始または前記使用量の収集から前記アップロードの指示までの経過時間を取得し、
前記位置取得ステップは、前記時間取得ステップで取得した前記経過時間が前記アップロード可能時間内であった場合には、前記位置情報を取得すること、
を特徴とする請求項２３に記載のプログラム。
【請求項２５】
家庭用機器および管理サーバと通信可能な、制御部および記憶部を有する携帯機器に実行させるためのプログラムであって、
当該携帯機器の前記制御部に実行させるための、
当該携帯機器の位置に関する位置情報を取得する位置取得ステップと、
前記位置取得ステップで取得した前記位置情報および当該携帯機器を一意に識別するための当該携帯機器の前記記憶部に記憶された携帯機器識別情報を、前記管理サーバへ送信する位置等送信ステップと、
前記携帯機器識別情報が登録済みのものであり且つ前記位置情報が正しいものであるか否かに関する前記管理サーバから送信された認証結果を受信する結果受信ステップと、
前記結果受信ステップで受信した前記認証結果が、前記携帯機器識別情報が登録済みのものであり且つ前記位置情報が正しいものであるというものであった場合には、前記家庭用機器で使用されたエネルギーの使用量を当該家庭用機器から収集する使用量収集実行ステップと、
前記使用量収集実行ステップで収集した前記使用量の前記管理サーバへのアップロードを、ユーザに指示させる指示ステップと、
前記アップロードの指示を受けた場合には、当該携帯機器と前記使用量収集実行ステップで前記使用量が収集された前記家庭用機器との距離を検知する距離検知ステップと、
前記距離検知ステップで検知した前記距離が所定距離内であった場合には、前記使用量収集実行ステップで収集した前記使用量を前記管理サーバへ送信する使用量送信ステップと、
を含むことを特徴とするプログラム。
【請求項２６】
前記使用量収集実行ステップは、前記場合には、複数の前記家庭用機器に対して前記使用量の収集を実行し、
前記距離検知ステップは、前記場合には、前記使用量収集実行ステップで前記使用量が収集された複数の前記家庭用機器に対して当該携帯機器と当該家庭用機器との距離の検知を実行し、前記使用量収集実行ステップで収集した前記使用量と当該検知した前記距離とを対応付けて保持し、
前記使用量送信ステップは、前記距離検知ステップで検知した各々の前記距離が前記所定距離内であるか否かを判定し、当該所定距離内であると判定された前記距離と対応付けて保持している前記使用量を前記管理サーバへ送信すること、
を特徴とする請求項２５に記載のプログラム。
【請求項２７】
家庭用機器および管理サーバと通信可能な、制御部および記憶部を有する携帯機器に実行させるためのプログラムであって、
当該携帯機器の前記制御部に実行させるための、
前記家庭用機器で使用されたエネルギーの使用量を当該家庭用機器から収集する使用量収集実行ステップと、
前記使用量収集実行ステップで収集した前記使用量の前記管理サーバへのアップロードを、ユーザに指示させる指示ステップと、
前記アップロードの指示を受けた場合には、当該携帯機器と前記使用量収集実行ステップで前記使用量が収集された前記家庭用機器との距離を検知する距離検知ステップと、
前記距離検知ステップで検知した前記距離が所定距離内であった場合には、当該携帯機器の位置に関する位置情報を取得する位置取得ステップと、
前記位置取得ステップで取得した前記位置情報および当該携帯機器を一意に識別するための当該携帯機器の前記記憶部に記憶された携帯機器識別情報を、前記管理サーバへ送信する位置等送信ステップと、
前記携帯機器識別情報が登録済みのものであり且つ前記位置情報が正しいものであるか否かに関する前記管理サーバから送信された認証結果を受信する結果受信ステップと、
前記結果受信ステップで受信した前記認証結果が、前記携帯機器識別情報が登録済みのものであり且つ前記位置情報が正しいものであるというものであった場合には、前記使用量収集実行ステップで収集した前記使用量を前記管理サーバへ送信する使用量送信ステップと、
を含むことを特徴とするプログラム。
【請求項２８】
前記使用量収集実行ステップは、複数の前記家庭用機器に対して前記使用量の収集を実行し、
前記距離検知ステップは、前記場合には、前記使用量収集実行ステップで前記使用量が収集された複数の前記家庭用機器のうちの少なくとも１つの前記家庭用機器に対して当該携帯機器と当該家庭用機器との距離の検知を実行し、前記使用量収集実行ステップで収集した前記使用量と当該検知した前記距離とを対応付けて保持し、
前記位置取得ステップは、前記距離検知ステップで検知した各々の前記距離が前記所定距離内であるか否かを判定し、当該検知した前記距離が当該所定距離内であると判定された場合には、前記位置情報を取得し、
前記使用量送信ステップは、前記場合には、前記位置取得ステップで前記所定距離内であると判定された前記距離と対応付けて保持している前記使用量を前記管理サーバへ送信すること、
を特徴とする請求項２７に記載のプログラム。
【請求項２９】
家庭用機器および管理サーバと通信可能な、制御部および記憶部を有する携帯機器に実行させるためのプログラムであって、
当該携帯機器の前記制御部に実行させるための、
当該携帯機器の位置に関する位置情報を取得する位置取得ステップと、
前記位置取得ステップで取得した前記位置情報および当該携帯機器を一意に識別するための当該携帯機器の前記記憶部に記憶された携帯機器識別情報を、前記管理サーバへ送信する位置等送信ステップと、
前記携帯機器識別情報が登録済みのものであり且つ前記位置情報が正しいものであるか否かに関する前記管理サーバから送信された認証結果を受信する結果受信ステップと、
前記結果受信ステップで受信した前記認証結果が、前記携帯機器識別情報が登録済みのものであり且つ前記位置情報が正しいものであるというものであった場合には、前記家庭用機器で使用されたエネルギーの使用量を複数の前記家庭用機器から収集する使用量収集ステップと、
前記使用量収集ステップで収集した前記使用量の前記管理サーバへのアップロードを、ユーザに指示させる指示ステップと、
前記アップロードの指示を受けた場合には、前記使用量を収集する順序に関する前記管理サーバに記憶された収集ルールを前記管理サーバから取得するルール取得ステップと、
前記使用量収集ステップで前記使用量を収集した時の収集順序が前記ルール取得ステップで取得した前記収集ルールと一致するか否かを判定する判定ステップと、
前記判定ステップでの判定結果が、前記収集ルールと一致するというものであった場合には、前記使用量収集ステップで収集した前記使用量を前記管理サーバへ送信する使用量送信ステップと、
を含むことを特徴とするプログラム。
【請求項３０】
家庭用機器および管理サーバと通信可能な、制御部および記憶部を有する携帯機器に実行させるためのプログラムであって、
当該携帯機器の前記制御部に実行させるための、
前記家庭用機器で使用されたエネルギーの使用量を複数の前記家庭用機器から収集する使用量収集ステップと、
前記使用量収集ステップで収集した前記使用量の前記管理サーバへのアップロードを、ユーザに指示させる指示ステップと、
前記アップロードの指示を受けた場合には、前記使用量を収集する順序に関する前記管理サーバに記憶された収集ルールを前記管理サーバから取得するルール取得ステップと、
前記使用量収集ステップで前記使用量を収集した時の収集順序が前記ルール取得ステップで取得した前記収集ルールと一致するか否かを判定する判定ステップと、
前記判定ステップでの判定結果が、前記収集ルールと一致するというものであった場合には、当該携帯機器の位置に関する位置情報を取得する位置取得ステップと、
前記位置取得ステップで取得した前記位置情報および当該携帯機器を一意に識別するための当該携帯機器の前記記憶部に記憶された携帯機器識別情報を、前記管理サーバへ送信する位置等送信ステップと、
前記携帯機器識別情報が登録済みのものであり且つ前記位置情報が正しいものであるか否かに関する前記管理サーバから送信された認証結果を受信する結果受信ステップと、
前記結果受信ステップで受信した前記認証結果が、前記携帯機器識別情報が登録済みのものであり且つ前記位置情報が正しいものであるというものであった場合には、前記使用量収集ステップで収集した前記使用量を前記管理サーバへ送信する使用量送信ステップと、
を含むことを特徴とするプログラム。
【発明の詳細な説明】
【技術分野】
【０００１】
本発明は、家庭用機器のエネルギー使用量登録方法、携帯機器およびプログラムに関する。
【背景技術】
【０００２】
従来、各家庭に設置されている各家庭用機器（家電）から、省エネ活動の成果としてのエネルギーの使用量を取得する方法としては、省エネ対象の家電にＧＰＳモジュールや通信モジュール、当該家電のＩＤなどを搭載して、各家電からエネルギーの使用量をサーバに送信するといった方法その１が挙げられる。
【０００３】
また、（特許文献１）には、省エネルギーシステムの運転によるエネルギー使用量等を計測する計測器と接続された顧客の端末と、サーバと等が通信回線を介して接続されたシステムにおいて、計測器で計測したデータを当該計測器が端末経由でサーバへ送信する技術が開示されている。
【０００４】
また、（特許文献２）には、使用電力量測定器を有する電気製品と、当該電気製品と宅内電力供給線経由で通信可能に接続され且つ外部機器と通信可能に接続された電力使用量メータと、当該外部機器と通信可能に接続されたサーバと、を含むシステムにおいて、電気製品が使用電力量測定器で測定された電力使用量および機器固有ＩＤを宅内電力供給線経由で電力使用量メータへ送信し、電力使用量メータが電力使用量および機器固有ＩＤを受信し、受信した電力使用量および機器固有ＩＤを外部機器へ送信し、外部機器が電力使用量および機器固有ＩＤを受信し、受信した電力使用量および機器固有ＩＤをサーバへ送信する技術が開示されている。
【０００５】
しかし、当該方法その１によれば、各家電に各種機能や情報を搭載しなければならないので、当該方法の実施には導入コストが掛かりその実施は現実的には困難であるという問題がある。また、（特許文献１）によれば、当該技術を実現するためには省エネルギーシステムの購入者においてさらに設備を整備しなければならないので、当該実現には大きなコストがかかるという問題がある。また、（特許文献２）によれば、宅内電力供給線通信機能と受信したデータをデータ格納部に蓄積する機能と外部通信機能とを有する新規な電力使用量メータを設置しなければならないので、当該技術の実現には大きなコストがかかるという問題がある。
【０００６】
なお、（特許文献３）には、機器ごとに異なる秘密鍵および機器の識別情報（あるいは機器の使用者の識別情報）を保持したＧＰＳ受信機能付きの携帯機器が、測位用衛星から受信した電波に基づき測定された位置・時刻情報に秘密鍵を用いてデジタル署名し、保持した識別情報および当該デジタル署名が付加された位置・時刻情報を通信相手先に送信する技術が開示されている。これにより、位置・時刻の情報が、本当に、使用者が使用するＧＰＳ受信機能付きの携帯機器で測定が行われた正当な情報であること確認あるいは証明することができる。
【特許文献１】特開２００１−３３８０２８号公報
【特許文献２】特開２００５−３３９１８７号公報
【特許文献３】特開２００４−８０１２５号公報
【発明の開示】
【発明が解決しようとする課題】
【０００７】
そこで、コストに関する上述した問題を解決することができる方法として、携帯電話などのゲートウェイ端末と家電との間で近距離無線通信（例えばＲＦＩＤやＢｌｕｅｔｏｏｔｈ（登録商標）、ＱＲコードなど）を行って各家電のエネルギーの使用量をゲートウェイ端末に集め、集めた使用量をゲートウェイ端末の通信機能を利用してサーバに送信する方法その２が考えられる。
【０００８】
しかしながら、当該方法その２によれば、送信した使用量が正規のユーザが使用している家電から集めたものであるかを確認することができないので、他人の家電の使用量を収集し、それを自宅に戻ってからサーバに送信すれば他人の家電の使用量をあたかも自分のものとしてサーバにアップロードすることができてしまう、つまりエネルギーの使用量のサーバへの不正アップロードが可能なため、排出権取引に関する省エネ活動を不正に換金できてしまうという問題点がある。なお、（特許文献３）に開示されている携帯機器を上述した方法その２に応用したとしても、依然として、送信した使用量が正規のユーザが使用している家電から集めたものであるかを確認することができないので、当該問題点を解決することはできない。
【０００９】
本発明は、上記問題点に鑑みてなされたものであって、低コストで小規模から実施することができるだけでなく、エネルギーの使用量のサーバへの不正アップロードを防ぐことができ、排出権取引に関する省エネ活動を適正に換金できる家庭用機器のエネルギー使用量登録方法、携帯機器およびプログラムを提供することを目的とする。
【課題を解決するための手段】
【００１０】
上述した課題を解決し上述した目的を達成するために、本発明は、家庭用機器と管理サーバと携帯機器とで構成され、携帯機器と家庭用機器とが通信可能で且つ携帯機器と管理サーバとが通信可能なシステムにおいて、下記［Ａ１１］〜［Ａ１４］および［Ａ２１］〜［Ａ２４］や、下記［Ｂ１１］〜［Ｂ１４］および［Ｂ２１］〜［Ｂ２４］、下記［Ｃ１１］〜［Ｃ１４］および［Ｃ２１］〜［Ｃ２４］を実行するものである。
【００１１】
［Ａ１１］携帯機器は、当該携帯機器の位置に関する位置情報を取得し、取得した位置情報および当該携帯機器を一意に識別するための当該携帯機器に記憶された携帯機器識別情報を管理サーバへ送信する。
【００１２】
［Ａ１２］管理サーバは、携帯機器から送信された位置情報および携帯機器識別情報を受信し、受信した位置情報および携帯機器識別情報ならびに携帯機器のユーザに関する当該管理サーバに記憶されたユーザ情報に基づいて、当該携帯機器識別情報が登録済みのものであり且つ当該位置情報が正しいものであるか否かを認証し、その認証結果を、受信した携帯機器識別情報に対応する携帯機器へ送信する。
【００１３】
［Ａ１３］携帯機器は、管理サーバから送信された認証結果を受信し、受信した認証結果が“携帯機器識別情報が登録済みのものであり且つ位置情報が正しいものである”というものであった場合には、家庭用機器で使用されたエネルギーの使用量を当該家庭用機器から収集し、その一方で計時を開始し、収集した使用量の管理サーバへのアップロードをユーザに指示させる。
【００１４】
［Ａ１４］携帯機器は、アップロードの指示を受けた場合には、計時の開始から当該アップロードの指示までの経過時間を取得し、取得した経過時間が所定時間内であった場合には、収集した使用量を管理サーバへ送信する。
【００１５】
［Ａ２１］携帯機器は、家庭用機器で使用されたエネルギーの使用量を当該家庭用機器から収集し、その一方で計時を開始し、収集した使用量の管理サーバへのアップロードをユーザに指示させる。
【００１６】
［Ａ２２］携帯機器は、アップロードの指示を受けた場合には、計時の開始から当該アップロードの指示までの経過時間を取得し、取得した経過時間が所定時間内であった場合には、当該携帯機器の位置に関する位置情報を取得し、取得した位置情報および当該携帯機器を一意に識別するための当該携帯機器に記憶された携帯機器識別情報を管理サーバへ送信する。
【００１７】
［Ａ２３］管理サーバは、携帯機器から送信された位置情報および携帯機器識別情報を受信し、受信した位置情報および携帯機器識別情報ならびに携帯機器のユーザに関する当該管理サーバに記憶されたユーザ情報に基づいて、当該携帯機器識別情報が登録済みのものであり且つ当該位置情報が正しいものであるか否かを認証し、その認証結果を、受信した携帯機器識別情報に対応する携帯機器へ送信する。
【００１８】
［Ａ２４］携帯機器は、管理サーバから送信された認証結果を受信し、受信した認証結果が“携帯機器識別情報が登録済みのものであり且つ位置情報が正しいものである”というものであった場合には、収集した使用量を管理サーバへ送信する。
【００１９】
［Ｂ１１］携帯機器は、当該携帯機器の位置に関する位置情報を取得し、取得した位置情報および当該携帯機器を一意に識別するための当該携帯機器に記憶された携帯機器識別情報を管理サーバへ送信する。
【００２０】
［Ｂ１２］管理サーバは、携帯機器から送信された位置情報および携帯機器識別情報を受信し、受信した位置情報および携帯機器識別情報ならびに携帯機器のユーザに関する当該管理サーバに記憶されたユーザ情報に基づいて、当該携帯機器識別情報が登録済みのものであり且つ当該位置情報が正しいものであるか否かを認証し、その認証結果を、受信した携帯機器識別情報に対応する携帯機器へ送信する。
【００２１】
［Ｂ１３］携帯機器は、管理サーバから送信された認証結果を受信し、受信した認証結果が“携帯機器識別情報が登録済みのものであり且つ位置情報が正しいものである”というものであった場合には、家庭用機器で使用されたエネルギーの使用量を当該家庭用機器から収集し、収集した使用量の管理サーバへのアップロードをユーザに指示させる。
【００２２】
［Ｂ１４］携帯機器は、アップロードの指示を受けた場合には、当該携帯機器と使用量が収集された家庭用機器との距離を検知し、検知した距離が所定距離内であった場合には、収集した使用量を管理サーバへ送信する。
【００２３】
［Ｂ２１］携帯機器は、家庭用機器で使用されたエネルギーの使用量を当該家庭用機器から収集し、収集した使用量の管理サーバへのアップロードをユーザに指示させる。
【００２４】
［Ｂ２２］携帯機器は、アップロードの指示を受けた場合には、当該携帯機器と使用量が収集された家庭用機器との距離を検知し、検知した距離が所定距離内であった場合には、当該携帯機器の位置に関する位置情報を取得し、取得した位置情報および当該携帯機器を一意に識別するための当該携帯機器に記憶された携帯機器識別情報を管理サーバへ送信する。
【００２５】
［Ｂ２３］管理サーバは、携帯機器から送信された位置情報および携帯機器識別情報を受信し、受信した位置情報および携帯機器識別情報ならびに携帯機器のユーザに関する当該管理サーバに記憶されたユーザ情報に基づいて、当該携帯機器識別情報が登録済みのものであり且つ当該位置情報が正しいものであるか否かを認証し、その認証結果を、受信した携帯機器識別情報に対応する携帯機器へ送信する。
【００２６】
［Ｂ２４］携帯機器は、管理サーバから送信された認証結果を受信し、受信した認証結果が“携帯機器識別情報が登録済みのものであり且つ位置情報が正しいものである”というものであった場合には、収集した使用量を管理サーバへ送信する。
【００２７】
［Ｃ１１］携帯機器は、当該携帯機器の位置に関する位置情報を取得し、取得した位置情報および当該携帯機器を一意に識別するための当該携帯機器に記憶された携帯機器識別情報を管理サーバへ送信する。
【００２８】
［Ｃ１２］管理サーバは、携帯機器から送信された位置情報および携帯機器識別情報を受信し、受信した位置情報および携帯機器識別情報ならびに携帯機器のユーザに関する当該管理サーバに記憶されたユーザ情報に基づいて、当該携帯機器識別情報が登録済みのものであり且つ当該位置情報が正しいものであるか否かを認証し、その認証結果を、位置等受信ステップで受信した携帯機器識別情報に対応する携帯機器へ送信する。
【００２９】
［Ｃ１３］携帯機器は、管理サーバから送信された認証結果を受信し、受信した認証結果が“携帯機器識別情報が登録済みのものであり且つ位置情報が正しいものである”というものであった場合には、家庭用機器で使用されたエネルギーの使用量を複数の家庭用機器から収集し、収集した使用量の管理サーバへのアップロードをユーザに指示させる。
【００３０】
［Ｃ１４］携帯機器は、アップロードの指示を受けた場合には、使用量を収集する順序に関する管理サーバに記憶された収集ルールを管理サーバから取得し、使用量を収集した時の収集順序が、取得した収集ルールと一致するか否かを判定し、その判定結果が“収集ルールと一致する”というものであった場合には、収集した使用量を管理サーバへ送信する。
【００３１】
［Ｃ２１］携帯機器は、家庭用機器で使用されたエネルギーの使用量を複数の家庭用機器から収集し、収集した使用量の管理サーバへのアップロードをユーザに指示させる。
【００３２】
［Ｃ２２］携帯機器は、アップロードの指示を受けた場合には、使用量を収集する順序に関する管理サーバに記憶された収集ルールを管理サーバから取得し、使用量を収集した時の収集順序が、取得した収集ルールと一致するか否かを判定し、その判定結果が“収集ルールと一致する”というものであった場合には、当該携帯機器の位置に関する位置情報を取得し、取得した位置情報および当該携帯機器を一意に識別するための当該携帯機器に記憶された携帯機器識別情報を管理サーバへ送信する。
【００３３】
［Ｃ２３］管理サーバは、携帯機器から送信された位置情報および携帯機器識別情報を受信し、受信した位置情報および携帯機器識別情報ならびに携帯機器のユーザに関する当該管理サーバに記憶されたユーザ情報に基づいて、当該携帯機器識別情報が登録済みのものであり且つ当該位置情報が正しいものであるか否かを認証し、その認証結果を、受信した携帯機器識別情報に対応する携帯機器へ送信する。
【００３４】
［Ｃ２４］携帯機器は、管理サーバから送信された認証結果を受信し、受信した認証結果が“携帯機器識別情報が登録済みのものであり且つ位置情報が正しいものである”というものであった場合には、収集した使用量を管理サーバへ送信する。
【発明の効果】
【００３５】
本発明によれば、低コストで小規模から実施することができるだけでなく、エネルギーの使用量のサーバへの不正アップロードを防ぐことができ、排出権取引に関する省エネ活動を適正に換金できる家庭用機器のエネルギー使用量登録方法、携帯機器およびプログラムが得られる。
【発明を実施するための最良の形態】
【００３６】
第１の発明の家庭用機器のエネルギー使用量登録方法は、家庭用機器と、制御部および記憶部を有する管理サーバと、制御部および記憶部を有する携帯機器とで構成され、前記携帯機器と前記家庭用機器とが通信可能で且つ前記携帯機器と前記管理サーバとが通信可能なシステムにおいて実行される家庭用機器のエネルギー使用量登録方法であって、前記携帯機器の前記制御部は、当該携帯機器の位置に関する位置情報を取得する位置取得ステップと、前記携帯機器の前記制御部は、前記位置取得ステップで取得した前記位置情報および当該携帯機器を一意に識別するための当該携帯機器の前記記憶部に記憶された携帯機器識別情報を、前記管理サーバへ送信する位置等送信ステップと、前記管理サーバの前記制御部は、前記携帯機器から送信された前記位置情報および前記携帯機器識別情報を受信する位置等受信ステップと、前記管理サーバの前記制御部は、前記位置等受信ステップで受信した前記位置情報および前記携帯機器識別情報ならびに前記携帯機器のユーザに関する当該管理サーバの前記記憶部に記憶されたユーザ情報に基づいて、当該携帯機器識別情報が登録済みのものであり且つ当該位置情報が正しいものであるか否かを認証する認証ステップと、前記管理サーバの前記制御部は、前記認証ステップでの認証結果を、前記位置等受信ステップで受信した前記携帯機器識別情報に対応する前記携帯機器へ送信する結果送信ステップと、前記携帯機器の前記制御部は、前記管理サーバから送信された前記認証結果を受信する結果受信ステップと、前記携帯機器の前記制御部は、前記結果受信ステップで受信した前記認証結果が、前記携帯機器識別情報が登録済みのものであり且つ前記位置情報が正しいものであるというものであった場合には、前記家庭用機器で使用されたエネルギーの使用量を当該家庭用機器から収集し、その一方で計時を開始する使用量収集等実行ステップと、前記携帯機器の前記制御部は、前記使用量収集等実行ステップで収集した前記使用量の前記管理サーバへのアップロードを、前記ユーザに指示させる指示ステップと、前記携帯機器の前記制御部は、前記アップロードの指示を受けた場合には、前記計時の開始から当該アップロードの指示までの経過時間を取得する時間取得ステップと、前記携帯機器の前記制御部は、前記時間取得ステップで取得した前記経過時間が所定時間内であった場合には、前記使用量収集等実行ステップで収集した前記使用量を前記管理サーバへ送信する使用量送信ステップと、を含むことを特徴としたものである。
【００３７】
この構成により、低コストで小規模から実施することができるだけでなく、エネルギーの使用量のサーバへの不正アップロードを防ぐことができ、排出権取引に関する省エネ活動を適正に換金できるという作用を有する。
【００３８】
第２の発明の家庭用機器のエネルギー使用量登録方法は、前記の発明の家庭用機器のエネルギー使用量登録方法において、前記使用量収集等実行ステップにおいて、前記携帯機器の前記制御部は、前記場合には、さらに、前記携帯機器が前記家庭用機器から前記使用量を収集することができる時間である前記管理サーバの前記記憶部に記憶された収集可能時間および前記携帯機器が前記管理サーバへ前記使用量をアップロードすることができる時間である前記管理サーバの前記記憶部に記憶されたアップロード可能時間を、前記管理サーバから取得し、その一方で前記計時の開始から前記使用量の収集までの経過時間を取得し、前記指示ステップにおいて、前記携帯機器の前記制御部は、前記使用量収集等実行ステップで取得した前記経過時間が前記収集可能時間内であった場合には、前記アップロードを前記ユーザに指示させ、前記時間取得ステップにおいて、前記携帯機器の前記制御部は、前記場合には、前記計時の開始または前記使用量の収集から前記アップロードの指示までの経過時間を取得し、前記使用量送信ステップにおいて、前記携帯機器の前記制御部は、前記時間取得ステップで取得した前記経過時間が前記アップロード可能時間内であった場合には、前記使用量を前記管理サーバへ送信すること、を特徴としたものである。
【００３９】
この構成により、２つの制約時間を設けるので、エネルギーの使用量のサーバへの不正アップロードを一層効果的に防ぐことができるという作用を有する。
【００４０】
第３の発明の家庭用機器のエネルギー使用量登録方法は、家庭用機器と、制御部および記憶部を有する管理サーバと、制御部および記憶部を有する携帯機器とで構成され、前記携帯機器と前記家庭用機器とが通信可能で且つ前記携帯機器と前記管理サーバとが通信可能なシステムにおいて実行される家庭用機器のエネルギー使用量登録方法であって、前記携帯機器の前記制御部は、前記家庭用機器で使用されたエネルギーの使用量を当該家庭用機器から収集し、その一方で計時を開始する使用量収集等実行ステップと、前記携帯機器の前記制御部は、前記使用量収集等実行ステップで収集した前記使用量の前記管理サーバへのアップロードを、当該携帯機器のユーザに指示させる指示ステップと、前記携帯機器の前記制御部は、前記アップロードの指示を受けた場合には、前記計時の開始から当該アップロードの指示までの経過時間を取得する時間取得ステップと、前記携帯機器の前記制御部は、前記時間取得ステップで取得した前記経過時間が所定時間内であった場合には、当該携帯機器の位置に関する位置情報を取得する位置取得ステップと、前記携帯機器の前記制御部は、前記位置取得ステップで取得した前記位置情報および当該携帯機器を一意に識別するための当該携帯機器の前記記憶部に記憶された携帯機器識別情報を、前記管理サーバへ送信する位置等送信ステップと、前記管理サーバの前記制御部は、前記携帯機器から送信された前記位置情報および前記携帯機器識別情報を受信する位置等受信ステップと、前記管理サーバの前記制御部は、前記位置等受信ステップで受信した前記位置情報および前記携帯機器識別情報ならびに前記ユーザに関する当該管理サーバの前記記憶部に記憶されたユーザ情報に基づいて、当該携帯機器識別情報が登録済みのものであり且つ当該位置情報が正しいものであるか否かを認証する認証ステップと、前記管理サーバの前記制御部は、前記認証ステップでの認証結果を、前記位置等受信ステップで受信した前記携帯機器識別情報に対応する前記携帯機器へ送信する結果送信ステップと、前記携帯機器の前記制御部は、前記管理サーバから送信された前記認証結果を受信する結果受信ステップと、前記携帯機器の前記制御部は、前記結果受信ステップで受信した前記認証結果が、前記携帯機器識別情報が登録済みのものであり且つ前記位置情報が正しいものであるというものであった場合には、前記使用量収集等実行ステップで収集した前記使用量を前記管理サーバへ送信する使用量送信ステップと、を含むことを特徴としたものである。
【００４１】
この構成により、低コストで小規模から実施することができるだけでなく、エネルギーの使用量のサーバへの不正アップロードを防ぐことができ、排出権取引に関する省エネ活動を適正に換金できるという作用を有する。
【００４２】
第４の発明の家庭用機器のエネルギー使用量登録方法は、前記の発明の家庭用機器のエネルギー使用量登録方法において、前記使用量収集等実行ステップにおいて、前記携帯機器の前記制御部は、さらに、前記携帯機器が前記家庭用機器から前記使用量を収集することができる時間である前記管理サーバの前記記憶部に記憶された収集可能時間および前記携帯機器が前記管理サーバへ前記使用量をアップロードすることができる時間である前記管理サーバの前記記憶部に記憶されたアップロード可能時間を、前記管理サーバから取得し、その一方で前記計時の開始から前記使用量の収集までの経過時間を取得し、前記指示ステップにおいて、前記携帯機器の前記制御部は、前記使用量収集等実行ステップで取得した前記経過時間が前記収集可能時間内であった場合には、前記アップロードを前記ユーザに指示させ、前記時間取得ステップにおいて、前記携帯機器の前記制御部は、前記場合には、前記計時の開始または前記使用量の収集から前記アップロードの指示までの経過時間を取得し、前記位置取得ステップにおいて、前記携帯機器の前記制御部は、前記時間取得ステップで取得した前記経過時間が前記アップロード可能時間内であった場合には、前記位置情報を取得すること、を特徴としたものである。
【００４３】
この構成により、２つの制約時間を設けるので、エネルギーの使用量のサーバへの不正アップロードを一層効果的に防ぐことができるという作用を有する。
【００４４】
第５の発明の家庭用機器のエネルギー使用量登録方法は、家庭用機器と、制御部および記憶部を有する管理サーバと、制御部および記憶部を有する携帯機器とで構成され、前記携帯機器と前記家庭用機器とが通信可能で且つ前記携帯機器と前記管理サーバとが通信可能なシステムにおいて実行される家庭用機器のエネルギー使用量登録方法であって、前記携帯機器の前記制御部は、当該携帯機器の位置に関する位置情報を取得する位置取得ステップと、前記携帯機器の前記制御部は、前記位置取得ステップで取得した前記位置情報および当該携帯機器を一意に識別するための当該携帯機器の前記記憶部に記憶された携帯機器識別情報を、前記管理サーバへ送信する位置等送信ステップと、前記管理サーバの前記制御部は、前記携帯機器から送信された前記位置情報および前記携帯機器識別情報を受信する位置等受信ステップと、前記管理サーバの前記制御部は、前記位置等受信ステップで受信した前記位置情報および前記携帯機器識別情報ならびに前記携帯機器のユーザに関する当該管理サーバの前記記憶部に記憶されたユーザ情報に基づいて、当該携帯機器識別情報が登録済みのものであり且つ当該位置情報が正しいものであるか否かを認証する認証ステップと、前記管理サーバの前記制御部は、前記認証ステップでの認証結果を、前記位置等受信ステップで受信した前記携帯機器識別情報に対応する前記携帯機器へ送信する結果送信ステップと、前記携帯機器の前記制御部は、前記管理サーバから送信された前記認証結果を受信する結果受信ステップと、前記携帯機器の前記制御部は、前記結果受信ステップで受信した前記認証結果が、前記携帯機器識別情報が登録済みのものであり且つ前記位置情報が正しいものであるというものであった場合には、前記家庭用機器で使用されたエネルギーの使用量を当該家庭用機器から収集する使用量収集実行ステップと、前記携帯機器の前記制御部は、前記使用量収集実行ステップで収集した前記使用量の前記管理サーバへのアップロードを、前記ユーザに指示させる指示ステップと、前記携帯機器の前記制御部は、前記アップロードの指示を受けた場合には、当該携帯機器と前記使用量収集実行ステップで前記使用量が収集された前記家庭用機器との距離を検知する距離検知ステップと、前記携帯機器の前記制御部は、前記距離検知ステップで検知した前記距離が所定距離内であった場合には、前記使用量収集実行ステップで収集した前記使用量を前記管理サーバへ送信する使用量送信ステップと、を含むことを特徴としたものである。
【００４５】
この構成により、低コストで小規模から実施することができるだけでなく、エネルギーの使用量のサーバへの不正アップロードを防ぐことができ、排出権取引に関する省エネ活動を適正に換金できるという作用を有する。
【００４６】
第６の発明の家庭用機器のエネルギー使用量登録方法は、前記の発明の家庭用機器のエネルギー使用量登録方法において、前記使用量収集実行ステップにおいて、前記携帯機器の前記制御部は、前記場合には、複数の前記家庭用機器に対して前記使用量の収集を実行し、前記距離検知ステップにおいて、前記携帯機器の前記制御部は、前記場合には、前記使用量収集実行ステップで前記使用量が収集された複数の前記家庭用機器に対して当該携帯機器と当該家庭用機器との距離の検知を実行し、前記使用量収集実行ステップで収集した前記使用量と当該検知した前記距離とを対応付けて保持し、前記使用量送信ステップにおいて、前記携帯機器の前記制御部は、前記距離検知ステップで検知した各々の前記距離が前記所定距離内であるか否かを判定し、当該所定距離内であると判定された前記距離と対応付けて保持している前記使用量を前記管理サーバへ送信すること、を特徴としたものである。
【００４７】
この構成により、複数の家庭用機器に対するエネルギー使用量の収集を先に済ませてから当該収集した複数のエネルギー使用量を一括してアップロードするので、当該収集から当該アップロードまでの処理を簡便にすることができるという作用を有する。
【００４８】
第７の発明の家庭用機器のエネルギー使用量登録方法は、家庭用機器と、制御部および記憶部を有する管理サーバと、制御部および記憶部を有する携帯機器とで構成され、前記携帯機器と前記家庭用機器とが通信可能で且つ前記携帯機器と前記管理サーバとが通信可能なシステムにおいて実行される家庭用機器のエネルギー使用量登録方法であって、前記携帯機器の前記制御部は、前記家庭用機器で使用されたエネルギーの使用量を当該家庭用機器から収集する使用量収集実行ステップと、前記携帯機器の前記制御部は、前記使用量収集実行ステップで収集した前記使用量の前記管理サーバへのアップロードを、当該携帯機器のユーザに指示させる指示ステップと、前記携帯機器の前記制御部は、前記アップロードの指示を受けた場合には、当該携帯機器と前記使用量収集実行ステップで前記使用量が収集された前記家庭用機器との距離を検知する距離検知ステップと、前記携帯機器の前記制御部は、前記距離検知ステップで検知した前記距離が所定距離内であった場合には、当該携帯機器の位置に関する位置情報を取得する位置取得ステップと、前記携帯機器の前記制御部は、前記位置取得ステップで取得した前記位置情報および当該携帯機器を一意に識別するための当該携帯機器の前記記憶部に記憶された携帯機器識別情報を、前記管理サーバへ送信する位置等送信ステップと、前記管理サーバの前記制御部は、前記携帯機器から送信された前記位置情報および前記携帯機器識別情報を受信する位置等受信ステップと、前記管理サーバの前記制御部は、前記位置等受信ステップで受信した前記位置情報および前記携帯機器識別情報ならびに前記ユーザに関する当該管理サーバの前記記憶部に記憶されたユーザ情報に基づいて、当該携帯機器識別情報が登録済みのものであり且つ当該位置情報が正しいものであるか否かを認証する認証ステップと、前記管理サーバの前記制御部は、前記認証ステップでの認証結果を、前記位置等受信ステップで受信した前記携帯機器識別情報に対応する前記携帯機器へ送信する結果送信ステップと、前記携帯機器の前記制御部は、前記管理サーバから送信された前記認証結果を受信する結果受信ステップと、前記携帯機器の前記制御部は、前記結果受信ステップで受信した前記認証結果が、前記携帯機器識別情報が登録済みのものであり且つ前記位置情報が正しいものであるというものであった場合には、前記使用量収集実行ステップで収集した前記使用量を前記管理サーバへ送信する使用量送信ステップと、を含むことを特徴としたものである。
【００４９】
この構成により、低コストで小規模から実施することができるだけでなく、エネルギーの使用量のサーバへの不正アップロードを防ぐことができ、排出権取引に関する省エネ活動を適正に換金できるという作用を有する。
【００５０】
第８の発明の家庭用機器のエネルギー使用量登録方法は、前記の発明の家庭用機器のエネルギー使用量登録方法において、前記使用量収集実行ステップにおいて、前記携帯機器の前記制御部は、複数の前記家庭用機器に対して前記使用量の収集を実行し、前記距離検知ステップにおいて、前記携帯機器の前記制御部は、前記場合には、前記使用量収集実行ステップで前記使用量が収集された複数の前記家庭用機器のうちの少なくとも１つの前記家庭用機器に対して当該携帯機器と当該家庭用機器との距離の検知を実行し、前記使用量収集実行ステップで収集した前記使用量と当該検知した前記距離とを対応付けて保持し、前記位置取得ステップにおいて、前記携帯機器の前記制御部は、前記距離検知ステップで検知した各々の前記距離が前記所定距離内であるか否かを判定し、当該検知した前記距離が当該所定距離内であると判定された場合には、前記位置情報を取得し、前記使用量送信ステップにおいて、前記携帯機器の前記制御部は、前記場合には、前記位置取得ステップで前記所定距離内であると判定された前記距離と対応付けて保持している前記使用量を前記管理サーバへ送信すること、を特徴としたものである。
【００５１】
この構成により、複数の家庭用機器に対するエネルギー使用量の収集を先に済ませてから当該収集した複数のエネルギー使用量を一括してアップロードするので、当該収集から当該アップロードまでの処理を簡便にすることができるという作用を有する。
【００５２】
第９の発明の家庭用機器のエネルギー使用量登録方法は、家庭用機器と、制御部および記憶部を有する管理サーバと、制御部および記憶部を有する携帯機器とで構成され、前記携帯機器と前記家庭用機器とが通信可能で且つ前記携帯機器と前記管理サーバとが通信可能なシステムにおいて実行される家庭用機器のエネルギー使用量登録方法であって、前記携帯機器の前記制御部は、当該携帯機器の位置に関する位置情報を取得する位置取得ステップと、前記携帯機器の前記制御部は、前記位置取得ステップで取得した前記位置情報および当該携帯機器を一意に識別するための当該携帯機器の前記記憶部に記憶された携帯機器識別情報を、前記管理サーバへ送信する位置等送信ステップと、前記管理サーバの前記制御部は、前記携帯機器から送信された前記位置情報および前記携帯機器識別情報を受信する位置等受信ステップと、前記管理サーバの前記制御部は、前記位置等受信ステップで受信した前記位置情報および前記携帯機器識別情報ならびに前記携帯機器のユーザに関する当該管理サーバの前記記憶部に記憶されたユーザ情報に基づいて、当該携帯機器識別情報が登録済みのものであり且つ当該位置情報が正しいものであるか否かを認証する認証ステップと、前記管理サーバの前記制御部は、前記認証ステップでの認証結果を、前記位置等受信ステップで受信した前記携帯機器識別情報に対応する前記携帯機器へ送信する結果送信ステップと、前記携帯機器の前記制御部は、前記管理サーバから送信された前記認証結果を受信する結果受信ステップと、前記携帯機器の前記制御部は、前記結果受信ステップで受信した前記認証結果が、前記携帯機器識別情報が登録済みのものであり且つ前記位置情報が正しいものであるというものであった場合には、前記家庭用機器で使用されたエネルギーの使用量を複数の前記家庭用機器から収集する使用量収集ステップと、前記携帯機器の前記制御部は、前記使用量収集ステップで収集した前記使用量の前記管理サーバへのアップロードを、前記ユーザに指示させる指示ステップと、前記携帯機器の前記制御部は、前記アップロードの指示を受けた場合には、前記使用量を収集する順序に関する前記管理サーバの前記記憶部に記憶された収集ルールを、前記管理サーバから取得するルール取得ステップと、前記携帯機器の前記制御部は、前記使用量収集ステップで前記使用量を収集した時の収集順序が前記ルール取得ステップで取得した前記収集ルールと一致するか否かを判定する判定ステップと、前記携帯機器の前記制御部は、前記判定ステップでの判定結果が、前記収集ルールと一致するというものであった場合には、前記使用量収集ステップで収集した前記使用量を前記管理サーバへ送信する使用量送信ステップと、を含むことを特徴としたものである。
【００５３】
この構成により、低コストで小規模から実施することができるだけでなく、エネルギーの使用量のサーバへの不正アップロードを防ぐことができ、排出権取引に関する省エネ活動を適正に換金できるという作用を有する。
【００５４】
第１０の発明の家庭用機器のエネルギー使用量登録方法は、家庭用機器と、制御部および記憶部を有する管理サーバと、制御部および記憶部を有する携帯機器とで構成され、前記携帯機器と前記家庭用機器とが通信可能で且つ前記携帯機器と前記管理サーバとが通信可能なシステムにおいて実行される家庭用機器のエネルギー使用量登録方法であって、前記携帯機器の前記制御部は、前記家庭用機器で使用されたエネルギーの使用量を複数の前記家庭用機器から収集する使用量収集ステップと、前記携帯機器の前記制御部は、前記使用量収集ステップで収集した前記使用量の前記管理サーバへのアップロードを、当該携帯機器のユーザに指示させる指示ステップと、前記携帯機器の前記制御部は、前記アップロードの指示を受けた場合には、前記使用量を収集する順序に関する前記管理サーバの前記記憶部に記憶された収集ルールを、前記管理サーバから取得するルール取得ステップと、前記携帯機器の前記制御部は、前記使用量収集ステップで前記使用量を収集した時の収集順序が前記ルール取得ステップで取得した前記収集ルールと一致するか否かを判定する判定ステップと、前記携帯機器の前記制御部は、前記判定ステップでの判定結果が、前記収集ルールと一致するというものであった場合には、当該携帯機器の位置に関する位置情報を取得する位置取得ステップと、前記携帯機器の前記制御部は、前記位置取得ステップで取得した前記位置情報および当該携帯機器を一意に識別するための当該携帯機器の前記記憶部に記憶された携帯機器識別情報を、前記管理サーバへ送信する位置等送信ステップと、前記管理サーバの前記制御部は、前記携帯機器から送信された前記位置情報および前記携帯機器識別情報を受信する位置等受信ステップと、前記管理サーバの前記制御部は、前記位置等受信ステップで受信した前記位置情報および前記携帯機器識別情報ならびに前記ユーザに関する当該管理サーバの前記記憶部に記憶されたユーザ情報に基づいて、当該携帯機器識別情報が登録済みのものであり且つ当該位置情報が正しいものであるか否かを認証する認証ステップと、前記管理サーバの前記制御部は、前記認証ステップでの認証結果を、前記位置等受信ステップで受信した前記携帯機器識別情報に対応する前記携帯機器へ送信する結果送信ステップと、前記携帯機器の前記制御部は、前記管理サーバから送信された前記認証結果を受信する結果受信ステップと、前記携帯機器の前記制御部は、前記結果受信ステップで受信した前記認証結果が、前記携帯機器識別情報が登録済みのものであり且つ前記位置情報が正しいものであるというものであった場合には、前記使用量収集ステップで収集した前記使用量を前記管理サーバへ送信する使用量送信ステップと、を含むことを特徴としたものである。
【００５５】
この構成により、低コストで小規模から実施することができるだけでなく、エネルギーの使用量のサーバへの不正アップロードを防ぐことができ、排出権取引に関する省エネ活動を適正に換金できるという作用を有する。
【００５６】
第１１の発明の携帯機器は、家庭用機器および管理サーバと通信可能な、制御部および記憶部を有する携帯機器であって、前記記憶部は、当該携帯機器を一意に識別するための携帯機器識別情報を記憶した識別情報記憶手段を備え、前記制御部は、当該携帯機器の位置に関する位置情報を取得する位置取得手段と、前記位置取得手段で取得した前記位置情報および前記識別情報記憶手段に記憶された前記携帯機器識別情報を、前記管理サーバへ送信する位置等送信手段と、前記携帯機器識別情報が登録済みのものであり且つ前記位置情報が正しいものであるか否かに関する前記管理サーバから送信された認証結果を受信する結果受信手段と、前記結果受信手段で受信した前記認証結果が、前記携帯機器識別情報が登録済みのものであり且つ前記位置情報が正しいものであるというものであった場合には、前記家庭用機器で使用されたエネルギーの使用量を当該家庭用機器から収集し、その一方で計時を開始する使用量収集等実行手段と、前記使用量収集等実行手段で収集した前記使用量の前記管理サーバへのアップロードを、ユーザに指示させる指示手段と、前記アップロードの指示を受けた場合には、前記計時の開始から当該アップロードの指示までの経過時間を取得する時間取得手段と、前記時間取得手段で取得した前記経過時間が所定時間内であった場合には、前記使用量収集等実行手段で収集した前記使用量を前記管理サーバへ送信する使用量送信手段と、を備えたことを特徴としたものである。
【００５７】
この構成により、低コストで小規模から実施することができるだけでなく、エネルギーの使用量のサーバへの不正アップロードを防ぐことができ、排出権取引に関する省エネ活動を適正に換金できるという作用を有する。
【００５８】
第１２の発明の携帯機器は、前記の発明の携帯機器において、前記使用量収集等実行手段は、前記場合には、さらに、前記携帯機器が前記家庭用機器から前記使用量を収集することができる時間である前記管理サーバに記憶された収集可能時間および前記携帯機器が前記管理サーバへ前記使用量をアップロードすることができる時間である前記管理サーバに記憶されたアップロード可能時間を、前記管理サーバから取得し、その一方で前記計時の開始から前記使用量の収集までの経過時間を取得し、前記指示手段は、前記使用量収集等実行手段で取得した前記経過時間が前記収集可能時間内であった場合には、前記アップロードを前記ユーザに指示させ、前記時間取得手段は、前記場合には、前記計時の開始または前記使用量の収集から前記アップロードの指示までの経過時間を取得し、前記使用量送信手段は、前記時間取得手段で取得した前記経過時間が前記アップロード可能時間内であった場合には、前記使用量を前記管理サーバへ送信すること、を特徴としたものである。
【００５９】
この構成により、２つの制約時間を設けるので、エネルギーの使用量のサーバへの不正アップロードを一層効果的に防ぐことができるという作用を有する。
【００６０】
第１３の発明の携帯機器は、家庭用機器および管理サーバと通信可能な、制御部および記憶部を有する携帯機器であって、前記記憶部は、当該携帯機器を一意に識別するための携帯機器識別情報を記憶した識別情報記憶手段を備え、前記制御部は、前記家庭用機器で使用されたエネルギーの使用量を当該家庭用機器から収集し、その一方で計時を開始する使用量収集等実行手段と、前記使用量収集等実行手段で収集した前記使用量の前記管理サーバへのアップロードを、ユーザに指示させる指示手段と、前記アップロードの指示を受けた場合には、前記計時の開始から当該アップロードの指示までの経過時間を取得する時間取得手段と、前記時間取得手段で取得した前記経過時間が所定時間内であった場合には、当該携帯機器の位置に関する位置情報を取得する位置取得手段と、前記位置取得手段で取得した前記位置情報および前記識別情報記憶手段に記憶された前記携帯機器識別情報を、前記管理サーバへ送信する位置等送信手段と、前記携帯機器識別情報が登録済みのものであり且つ前記位置情報が正しいものであるか否かに関する前記管理サーバから送信された認証結果を受信する結果受信手段と、前記結果受信手段で受信した前記認証結果が、前記携帯機器識別情報が登録済みのものであり且つ前記位置情報が正しいものであるというものであった場合には、前記使用量収集等実行手段で収集した前記使用量を前記管理サーバへ送信する使用量送信手段と、を備えたことを特徴としたものである。
【００６１】
この構成により、低コストで小規模から実施することができるだけでなく、エネルギーの使用量のサーバへの不正アップロードを防ぐことができ、排出権取引に関する省エネ活動を適正に換金できるという作用を有する。
【００６２】
第１４の発明の携帯機器は、前記の発明の携帯機器において、前記使用量収集等実行手段は、さらに、前記携帯機器が前記家庭用機器から前記使用量を収集することができる時間である前記管理サーバに記憶された収集可能時間および前記携帯機器が前記管理サーバへ前記使用量をアップロードすることができる時間である前記管理サーバに記憶されたアップロード可能時間を、前記管理サーバから取得し、その一方で前記計時の開始から前記使用量の収集までの経過時間を取得し、前記指示手段は、前記使用量収集等実行手段で取得した前記経過時間が前記収集可能時間内であった場合には、前記アップロードを前記ユーザに指示させ、前記時間取得手段は、前記場合には、前記計時の開始または前記使用量の収集から前記アップロードの指示までの経過時間を取得し、前記位置取得手段は、前記時間取得手段で取得した前記経過時間が前記アップロード可能時間内であった場合には、前記位置情報を取得すること、を特徴としたものである。
【００６３】
この構成により、２つの制約時間を設けるので、エネルギーの使用量のサーバへの不正アップロードを一層効果的に防ぐことができるという作用を有する。
【００６４】
第１５の発明の携帯機器は、家庭用機器および管理サーバと通信可能な、制御部および記憶部を有する携帯機器であって、前記記憶部は、当該携帯機器を一意に識別するための携帯機器識別情報を記憶した識別情報記憶手段を備え、前記制御部は、当該携帯機器の位置に関する位置情報を取得する位置取得手段と、前記位置取得手段で取得した前記位置情報および前記識別情報記憶手段に記憶された前記携帯機器識別情報を、前記管理サーバへ送信する位置等送信手段と、前記携帯機器識別情報が登録済みのものであり且つ前記位置情報が正しいものであるか否かに関する前記管理サーバから送信された認証結果を受信する結果受信手段と、前記結果受信手段で受信した前記認証結果が、前記携帯機器識別情報が登録済みのものであり且つ前記位置情報が正しいものであるというものであった場合には、前記家庭用機器で使用されたエネルギーの使用量を当該家庭用機器から収集する使用量収集実行手段と、前記使用量収集実行手段で収集した前記使用量の前記管理サーバへのアップロードを、ユーザに指示させる指示手段と、前記アップロードの指示を受けた場合には、当該携帯機器と前記使用量収集実行手段で前記使用量が収集された前記家庭用機器との距離を検知する距離検知手段と、前記距離検知手段で検知した前記距離が所定距離内であった場合には、前記使用量収集実行手段で収集した前記使用量を前記管理サーバへ送信する使用量送信手段と、を備えたことを特徴としたものである。
【００６５】
この構成により、低コストで小規模から実施することができるだけでなく、エネルギーの使用量のサーバへの不正アップロードを防ぐことができ、排出権取引に関する省エネ活動を適正に換金できるという作用を有する。
【００６６】
第１６の発明の携帯機器は、前記の発明の携帯機器において、前記使用量収集実行手段は、前記場合には、複数の前記家庭用機器に対して前記使用量の収集を実行し、前記距離検知手段は、前記場合には、前記使用量収集実行手段で前記使用量が収集された複数の前記家庭用機器に対して当該携帯機器と当該家庭用機器との距離の検知を実行し、前記使用量収集実行手段で収集した前記使用量と当該検知した前記距離とを対応付けて保持し、前記使用量送信手段は、前記距離検知手段で検知した各々の前記距離が前記所定距離内であるか否かを判定し、当該所定距離内であると判定された前記距離と対応付けて保持している前記使用量を前記管理サーバへ送信すること、を特徴としたものである。
【００６７】
この構成により、複数の家庭用機器に対するエネルギー使用量の収集を先に済ませてから当該収集した複数のエネルギー使用量を一括してアップロードするので、当該収集から当該アップロードまでの処理を簡便にすることができるという作用を有する。
【００６８】
第１７の発明の携帯機器は、家庭用機器および管理サーバと通信可能な、制御部および記憶部を有する携帯機器であって、前記記憶部は、当該携帯機器を一意に識別するための携帯機器識別情報を記憶した識別情報記憶手段を備え、前記制御部は、前記家庭用機器で使用されたエネルギーの使用量を当該家庭用機器から収集する使用量収集実行手段と、前記使用量収集実行手段で収集した前記使用量の前記管理サーバへのアップロードを、ユーザに指示させる指示手段と、前記アップロードの指示を受けた場合には、当該携帯機器と前記使用量収集実行手段で前記使用量が収集された前記家庭用機器との距離を検知する距離検知手段と、前記距離検知手段で検知した前記距離が所定距離内であった場合には、当該携帯機器の位置に関する位置情報を取得する位置取得手段と、前記位置取得手段で取得した前記位置情報および前記識別情報記憶手段に記憶された前記携帯機器識別情報を、前記管理サーバへ送信する位置等送信手段と、前記携帯機器識別情報が登録済みのものであり且つ前記位置情報が正しいものであるか否かに関する前記管理サーバから送信された認証結果を受信する結果受信手段と、前記結果受信手段で受信した前記認証結果が、前記携帯機器識別情報が登録済みのものであり且つ前記位置情報が正しいものであるというものであった場合には、前記使用量収集実行手段で収集した前記使用量を前記管理サーバへ送信する使用量送信手段と、を備えたことを特徴としたものである。
【００６９】
この構成により、低コストで小規模から実施することができるだけでなく、エネルギーの使用量のサーバへの不正アップロードを防ぐことができ、排出権取引に関する省エネ活動を適正に換金できるという作用を有する。
【００７０】
第１８の発明の携帯機器は、前記の発明の携帯機器において、前記使用量収集実行手段は、複数の前記家庭用機器に対して前記使用量の収集を実行し、前記距離検知手段は、前記場合には、前記使用量収集実行手段で前記使用量が収集された複数の前記家庭用機器のうちの少なくとも１つの前記家庭用機器に対して当該携帯機器と当該家庭用機器との距離の検知を実行し、前記使用量収集実行手段で収集した前記使用量と当該検知した前記距離とを対応付けて保持し、前記位置取得手段は、前記距離検知手段で検知した各々の前記距離が前記所定距離内であるか否かを判定し、当該検知した前記距離が当該所定距離内であると判定された場合には、前記位置情報を取得し、前記使用量送信手段は、前記場合には、前記位置取得手段で前記所定距離内であると判定された前記距離と対応付けて保持している前記使用量を前記管理サーバへ送信すること、を特徴としたものである。
【００７１】
この構成により、複数の家庭用機器に対するエネルギー使用量の収集を先に済ませてから当該収集した複数のエネルギー使用量を一括してアップロードするので、当該収集から当該アップロードまでの処理を簡便にすることができるという作用を有する。
【００７２】
第１９の発明の携帯機器は、家庭用機器および管理サーバと通信可能な、制御部および記憶部を有する携帯機器であって、前記記憶部は、当該携帯機器を一意に識別するための携帯機器識別情報を記憶した識別情報記憶手段を備え、前記制御部は、当該携帯機器の位置に関する位置情報を取得する位置取得手段と、前記位置取得手段で取得した前記位置情報および前記識別情報記憶手段に記憶された前記携帯機器識別情報を、前記管理サーバへ送信する位置等送信手段と、前記携帯機器識別情報が登録済みのものであり且つ前記位置情報が正しいものであるか否かに関する前記管理サーバから送信された認証結果を受信する結果受信手段と、前記結果受信手段で受信した前記認証結果が、前記携帯機器識別情報が登録済みのものであり且つ前記位置情報が正しいものであるというものであった場合には、前記家庭用機器で使用されたエネルギーの使用量を複数の前記家庭用機器から収集する使用量収集手段と、前記使用量収集手段で収集した前記使用量の前記管理サーバへのアップロードを、ユーザに指示させる指示手段と、前記アップロードの指示を受けた場合には、前記使用量を収集する順序に関する前記管理サーバに記憶された収集ルールを前記管理サーバから取得するルール取得手段と、前記使用量収集手段で前記使用量を収集した時の収集順序が前記ルール取得手段で取得した前記収集ルールと一致するか否かを判定する判定手段と、前記判定手段での判定結果が、前記収集ルールと一致するというものであった場合には、前記使用量収集手段で収集した前記使用量を前記管理サーバへ送信する使用量送信手段と、を備えたことを特徴としたものである。
【００７３】
この構成により、低コストで小規模から実施することができるだけでなく、エネルギーの使用量のサーバへの不正アップロードを防ぐことができ、排出権取引に関する省エネ活動を適正に換金できるという作用を有する。
【００７４】
第２０の発明の携帯機器は、家庭用機器および管理サーバと通信可能な、制御部および記憶部を有する携帯機器であって、前記記憶部は、当該携帯機器を一意に識別するための携帯機器識別情報を記憶した識別情報記憶手段を備え、前記制御部は、前記家庭用機器で使用されたエネルギーの使用量を複数の前記家庭用機器から収集する使用量収集手段と、前記使用量収集手段で収集した前記使用量の前記管理サーバへのアップロードを、ユーザに指示させる指示手段と、前記アップロードの指示を受けた場合には、前記使用量を収集する順序に関する前記管理サーバに記憶された収集ルールを前記管理サーバから取得するルール取得手段と、前記使用量収集手段で前記使用量を収集した時の収集順序が前記ルール取得手段で取得した前記収集ルールと一致するか否かを判定する判定手段と、前記判定手段での判定結果が、前記収集ルールと一致するというものであった場合には、当該携帯機器の位置に関する位置情報を取得する位置取得手段と、前記位置取得手段で取得した前記位置情報および前記識別情報記憶手段に記憶された前記携帯機器識別情報を、前記管理サーバへ送信する位置等送信手段と、前記携帯機器識別情報が登録済みのものであり且つ前記位置情報が正しいものであるか否かに関する前記管理サーバから送信された認証結果を受信する結果受信手段と、前記結果受信手段で受信した前記認証結果が、前記携帯機器識別情報が登録済みのものであり且つ前記位置情報が正しいものであるというものであった場合には、前記使用量収集手段で収集した前記使用量を前記管理サーバへ送信する使用量送信手段と、を備えたことを特徴としたものである。
【００７５】
この構成により、低コストで小規模から実施することができるだけでなく、エネルギーの使用量のサーバへの不正アップロードを防ぐことができ、排出権取引に関する省エネ活動を適正に換金できるという作用を有する。
【００７６】
第２１の発明のプログラムは、家庭用機器および管理サーバと通信可能な、制御部および記憶部を有する携帯機器に実行させるためのプログラムであって、当該携帯機器の前記制御部に実行させるための、当該携帯機器の位置に関する位置情報を取得する位置取得ステップと、前記位置取得ステップで取得した前記位置情報および当該携帯機器を一意に識別するための当該携帯機器の前記記憶部に記憶された携帯機器識別情報を、前記管理サーバへ送信する位置等送信ステップと、前記携帯機器識別情報が登録済みのものであり且つ前記位置情報が正しいものであるか否かに関する前記管理サーバから送信された認証結果を受信する結果受信ステップと、前記結果受信ステップで受信した前記認証結果が、前記携帯機器識別情報が登録済みのものであり且つ前記位置情報が正しいものであるというものであった場合には、前記家庭用機器で使用されたエネルギーの使用量を当該家庭用機器から収集し、その一方で計時を開始する使用量収集等実行ステップと、前記使用量収集等実行ステップで収集した前記使用量の前記管理サーバへのアップロードを、ユーザに指示させる指示ステップと、前記アップロードの指示を受けた場合には、前記計時の開始から当該アップロードの指示までの経過時間を取得する時間取得ステップと、前記時間取得ステップで取得した前記経過時間が所定時間内であった場合には、前記使用量収集等実行ステップで収集した前記使用量を前記管理サーバへ送信する使用量送信ステップと、を含むことを特徴としたものである。
【００７７】
この構成により、低コストで小規模から実施することができるだけでなく、エネルギーの使用量のサーバへの不正アップロードを防ぐことができ、排出権取引に関する省エネ活動を適正に換金できるという作用を有する。
【００７８】
第２２の発明のプログラムは、前記の発明のプログラムにおいて、前記使用量収集等実行ステップは、前記場合には、さらに、前記携帯機器が前記家庭用機器から前記使用量を収集することができる時間である前記管理サーバに記憶された収集可能時間および前記携帯機器が前記管理サーバへ前記使用量をアップロードすることができる時間である前記管理サーバに記憶されたアップロード可能時間を、前記管理サーバから取得し、その一方で前記計時の開始から前記使用量の収集までの経過時間を取得し、前記指示ステップは、前記使用量収集等実行ステップで取得した前記経過時間が前記収集可能時間内であった場合には、前記アップロードを前記ユーザに指示させ、前記時間取得ステップは、前記場合には、前記計時の開始または前記使用量の収集から前記アップロードの指示までの経過時間を取得し、前記使用量送信ステップは、前記時間取得ステップで取得した前記経過時間が前記アップロード可能時間内であった場合には、前記使用量を前記管理サーバへ送信すること、を特徴としたものである。
【００７９】
この構成により、２つの制約時間を設けるので、エネルギーの使用量のサーバへの不正アップロードを一層効果的に防ぐことができるという作用を有する。
【００８０】
第２３の発明のプログラムは、家庭用機器および管理サーバと通信可能な、制御部および記憶部を有する携帯機器に実行させるためのプログラムであって、当該携帯機器の前記制御部に実行させるための、前記家庭用機器で使用されたエネルギーの使用量を当該家庭用機器から収集し、その一方で計時を開始する使用量収集等実行ステップと、前記使用量収集等実行ステップで収集した前記使用量の前記管理サーバへのアップロードを、ユーザに指示させる指示ステップと、前記アップロードの指示を受けた場合には、前記計時の開始から当該アップロードの指示までの経過時間を取得する時間取得ステップと、前記時間取得ステップで取得した前記経過時間が所定時間内であった場合には、当該携帯機器の位置に関する位置情報を取得する位置取得ステップと、前記位置取得ステップで取得した前記位置情報および当該携帯機器を一意に識別するための当該携帯機器の前記記憶部に記憶された携帯機器識別情報を、前記管理サーバへ送信する位置等送信ステップと、前記携帯機器識別情報が登録済みのものであり且つ前記位置情報が正しいものであるか否かに関する前記管理サーバから送信された認証結果を受信する結果受信ステップと、前記結果受信ステップで受信した前記認証結果が、前記携帯機器識別情報が登録済みのものであり且つ前記位置情報が正しいものであるというものであった場合には、前記使用量収集等実行ステップで収集した前記使用量を前記管理サーバへ送信する使用量送信ステップと、を含むことを特徴としたものである。
【００８１】
この構成により、低コストで小規模から実施することができるだけでなく、エネルギーの使用量のサーバへの不正アップロードを防ぐことができ、排出権取引に関する省エネ活動を適正に換金できるという作用を有する。
【００８２】
第２４の発明のプログラムは、前記の発明のプログラムにおいて、前記使用量収集等実行ステップは、さらに、前記携帯機器が前記家庭用機器から前記使用量を収集することができる時間である前記管理サーバに記憶された収集可能時間および前記携帯機器が前記管理サーバへ前記使用量をアップロードすることができる時間である前記管理サーバに記憶されたアップロード可能時間を、前記管理サーバから取得し、その一方で前記計時の開始から前記使用量の収集までの経過時間を取得し、前記指示ステップは、前記使用量収集等実行ステップで取得した前記経過時間が前記収集可能時間内であった場合には、前記アップロードを前記ユーザに指示させ、前記時間取得ステップは、前記場合には、前記計時の開始または前記使用量の収集から前記アップロードの指示までの経過時間を取得し、前記位置取得ステップは、前記時間取得ステップで取得した前記経過時間が前記アップロード可能時間内であった場合には、前記位置情報を取得すること、を特徴としたものである。
【００８３】
この構成により、２つの制約時間を設けるので、エネルギーの使用量のサーバへの不正アップロードを一層効果的に防ぐことができるという作用を有する。
【００８４】
第２５の発明のプログラムは、家庭用機器および管理サーバと通信可能な、制御部および記憶部を有する携帯機器に実行させるためのプログラムであって、当該携帯機器の前記制御部に実行させるための、当該携帯機器の位置に関する位置情報を取得する位置取得ステップと、前記位置取得ステップで取得した前記位置情報および当該携帯機器を一意に識別するための当該携帯機器の前記記憶部に記憶された携帯機器識別情報を、前記管理サーバへ送信する位置等送信ステップと、前記携帯機器識別情報が登録済みのものであり且つ前記位置情報が正しいものであるか否かに関する前記管理サーバから送信された認証結果を受信する結果受信ステップと、前記結果受信ステップで受信した前記認証結果が、前記携帯機器識別情報が登録済みのものであり且つ前記位置情報が正しいものであるというものであった場合には、前記家庭用機器で使用されたエネルギーの使用量を当該家庭用機器から収集する使用量収集実行ステップと、前記使用量収集実行ステップで収集した前記使用量の前記管理サーバへのアップロードを、ユーザに指示させる指示ステップと、前記アップロードの指示を受けた場合には、当該携帯機器と前記使用量収集実行ステップで前記使用量が収集された前記家庭用機器との距離を検知する距離検知ステップと、前記距離検知ステップで検知した前記距離が所定距離内であった場合には、前記使用量収集実行ステップで収集した前記使用量を前記管理サーバへ送信する使用量送信ステップと、を含むことを特徴としたものである。
【００８５】
この構成により、低コストで小規模から実施することができるだけでなく、エネルギーの使用量のサーバへの不正アップロードを防ぐことができ、排出権取引に関する省エネ活動を適正に換金できるという作用を有する。
【００８６】
第２６の発明のプログラムは、前記の発明のプログラムにおいて、前記使用量収集実行ステップは、前記場合には、複数の前記家庭用機器に対して前記使用量の収集を実行し、前記距離検知ステップは、前記場合には、前記使用量収集実行ステップで前記使用量が収集された複数の前記家庭用機器に対して当該携帯機器と当該家庭用機器との距離の検知を実行し、前記使用量収集実行ステップで収集した前記使用量と当該検知した前記距離とを対応付けて保持し、前記使用量送信ステップは、前記距離検知ステップで検知した各々の前記距離が前記所定距離内であるか否かを判定し、当該所定距離内であると判定された前記距離と対応付けて保持している前記使用量を前記管理サーバへ送信すること、を特徴としたものである。
【００８７】
この構成により、複数の家庭用機器に対するエネルギー使用量の収集を先に済ませてから当該収集した複数のエネルギー使用量を一括してアップロードするので、当該収集から当該アップロードまでの処理を簡便にすることができるという作用を有する。
【００８８】
第２７の発明のプログラムは、家庭用機器および管理サーバと通信可能な、制御部および記憶部を有する携帯機器に実行させるためのプログラムであって、当該携帯機器の前記制御部に実行させるための、前記家庭用機器で使用されたエネルギーの使用量を当該家庭用機器から収集する使用量収集実行ステップと、前記使用量収集実行ステップで収集した前記使用量の前記管理サーバへのアップロードを、ユーザに指示させる指示ステップと、前記アップロードの指示を受けた場合には、当該携帯機器と前記使用量収集実行ステップで前記使用量が収集された前記家庭用機器との距離を検知する距離検知ステップと、前記距離検知ステップで検知した前記距離が所定距離内であった場合には、当該携帯機器の位置に関する位置情報を取得する位置取得ステップと、前記位置取得ステップで取得した前記位置情報および当該携帯機器を一意に識別するための当該携帯機器の前記記憶部に記憶された携帯機器識別情報を、前記管理サーバへ送信する位置等送信ステップと、前記携帯機器識別情報が登録済みのものであり且つ前記位置情報が正しいものであるか否かに関する前記管理サーバから送信された認証結果を受信する結果受信ステップと、前記結果受信ステップで受信した前記認証結果が、前記携帯機器識別情報が登録済みのものであり且つ前記位置情報が正しいものであるというものであった場合には、前記使用量収集実行ステップで収集した前記使用量を前記管理サーバへ送信する使用量送信ステップと、を含むことを特徴としたものである。
【００８９】
この構成により、低コストで小規模から実施することができるだけでなく、エネルギーの使用量のサーバへの不正アップロードを防ぐことができ、排出権取引に関する省エネ活動を適正に換金できるという作用を有する。
【００９０】
第２８の発明のプログラムは、前記の発明のプログラムにおいて、前記使用量収集実行ステップは、複数の前記家庭用機器に対して前記使用量の収集を実行し、前記距離検知ステップは、前記場合には、前記使用量収集実行ステップで前記使用量が収集された複数の前記家庭用機器のうちの少なくとも１つの前記家庭用機器に対して当該携帯機器と当該家庭用機器との距離の検知を実行し、前記使用量収集実行ステップで収集した前記使用量と当該検知した前記距離とを対応付けて保持し、前記位置取得ステップは、前記距離検知ステップで検知した各々の前記距離が前記所定距離内であるか否かを判定し、当該検知した前記距離が当該所定距離内であると判定された場合には、前記位置情報を取得し、前記使用量送信ステップは、前記場合には、前記位置取得ステップで前記所定距離内であると判定された前記距離と対応付けて保持している前記使用量を前記管理サーバへ送信すること、を特徴としたものである。
【００９１】
この構成により、複数の家庭用機器に対するエネルギー使用量の収集を先に済ませてから当該収集した複数のエネルギー使用量を一括してアップロードするので、当該収集から当該アップロードまでの処理を簡便にすることができるという作用を有する。
【００９２】
第２９の発明のプログラムは、家庭用機器および管理サーバと通信可能な、制御部および記憶部を有する携帯機器に実行させるためのプログラムであって、当該携帯機器の前記制御部に実行させるための、当該携帯機器の位置に関する位置情報を取得する位置取得ステップと、前記位置取得ステップで取得した前記位置情報および当該携帯機器を一意に識別するための当該携帯機器の前記記憶部に記憶された携帯機器識別情報を、前記管理サーバへ送信する位置等送信ステップと、前記携帯機器識別情報が登録済みのものであり且つ前記位置情報が正しいものであるか否かに関する前記管理サーバから送信された認証結果を受信する結果受信ステップと、前記結果受信ステップで受信した前記認証結果が、前記携帯機器識別情報が登録済みのものであり且つ前記位置情報が正しいものであるというものであった場合には、前記家庭用機器で使用されたエネルギーの使用量を複数の前記家庭用機器から収集する使用量収集ステップと、前記使用量収集ステップで収集した前記使用量の前記管理サーバへのアップロードを、ユーザに指示させる指示ステップと、前記アップロードの指示を受けた場合には、前記使用量を収集する順序に関する前記管理サーバに記憶された収集ルールを前記管理サーバから取得するルール取得ステップと、前記使用量収集ステップで前記使用量を収集した時の収集順序が前記ルール取得ステップで取得した前記収集ルールと一致するか否かを判定する判定ステップと、前記判定ステップでの判定結果が、前記収集ルールと一致するというものであった場合には、前記使用量収集ステップで収集した前記使用量を前記管理サーバへ送信する使用量送信ステップと、を含むことを特徴としたものである。
【００９３】
この構成により、低コストで小規模から実施することができるだけでなく、エネルギーの使用量のサーバへの不正アップロードを防ぐことができ、排出権取引に関する省エネ活動を適正に換金できるという作用を有する。
【００９４】
第３０の発明のプログラムは、家庭用機器および管理サーバと通信可能な、制御部および記憶部を有する携帯機器に実行させるためのプログラムであって、当該携帯機器の前記制御部に実行させるための、前記家庭用機器で使用されたエネルギーの使用量を複数の前記家庭用機器から収集する使用量収集ステップと、前記使用量収集ステップで収集した前記使用量の前記管理サーバへのアップロードを、ユーザに指示させる指示ステップと、前記アップロードの指示を受けた場合には、前記使用量を収集する順序に関する前記管理サーバに記憶された収集ルールを前記管理サーバから取得するルール取得ステップと、前記使用量収集ステップで前記使用量を収集した時の収集順序が前記ルール取得ステップで取得した前記収集ルールと一致するか否かを判定する判定ステップと、前記判定ステップでの判定結果が、前記収集ルールと一致するというものであった場合には、当該携帯機器の位置に関する位置情報を取得する位置取得ステップと、前記位置取得ステップで取得した前記位置情報および当該携帯機器を一意に識別するための当該携帯機器の前記記憶部に記憶された携帯機器識別情報を、前記管理サーバへ送信する位置等送信ステップと、前記携帯機器識別情報が登録済みのものであり且つ前記位置情報が正しいものであるか否かに関する前記管理サーバから送信された認証結果を受信する結果受信ステップと、前記結果受信ステップで受信した前記認証結果が、前記携帯機器識別情報が登録済みのものであり且つ前記位置情報が正しいものであるというものであった場合には、前記使用量収集ステップで収集した前記使用量を前記管理サーバへ送信する使用量送信ステップと、を含むことを特徴としたものである。
【００９５】
この構成により、低コストで小規模から実施することができるだけでなく、エネルギーの使用量のサーバへの不正アップロードを防ぐことができ、排出権取引に関する省エネ活動を適正に換金できるという作用を有する。
【００９６】
つぎに、上述した発明にかかる家庭用機器のエネルギー使用量登録方法、携帯機器およびプログラムの実施の形態（以下、本実施の形態と記す場合がある。）を図面に基づいて詳細に説明する。なお、本実施の形態により上述した発明が限定されるものではない。
【００９７】
［１．本実施の形態の概要］
本実施の形態の概要について図１を参照して説明する。図１は本実施の形態の概要を示す図である。図１において、符号１は携帯機器であり、符号２は管理サーバであり、符号３は家庭用機器である。
【００９８】
本実施の形態にかかるシステムは、携帯電話などの携帯機器１と、管理サーバ２と、家電などの宅内に設置されている家庭用機器（家電）３と、で構成されている。携帯機器１と管理サーバ２とはネットワーク経由で通信可能であり、携帯機器１と家庭用機器３とは通信可能である。
【００９９】
本実施の形態にかかるシステムにおいて、形態機器１のユーザが当該形態機器１を操作して家電３からのエネルギー使用量の取得を指示すると、当該指示を受けた形態機器１は、ＧＰＳ機能で当該形態機器１の位置情報を取得し、取得した位置情報を当該形態機器１に記憶した携帯ＩＤと共に管理サーバ２へ送信する。
【０１００】
つぎに、管理サーバ２は、形態機器１から送信された位置情報および携帯ＩＤを受信し、受信した位置情報および携帯ＩＤならびに当該管理サーバ２に記憶したユーザ情報に基づいて、当該携帯ＩＤが登録済みのものであり且つ当該位置情報が正しいものであるか否かを認証する。そして、管理サーバ２は、その認証結果を、受信した携帯ＩＤに対応する形態機器１へ送信する。
【０１０１】
つぎに、形態機器１は、管理サーバから送信された認証結果を受信し、受信した認証結果が“携帯ＩＤが登録済みのものであり且つ位置情報が正しいものである”というものであった場合には、家電３で使用されたエネルギー使用量を当該家電３から取得し、その一方で計時を開始する。そして、形態機器１は、収集したエネルギー使用量の管理サーバ２へのアップロードをユーザに指示させる。
【０１０２】
つぎに、形態機器１のユーザが当該形態機器１を操作して当該アップロードを指示すると、当該指示を受けた形態機器１は、計時の開始から当該指示までの経過時間（換言すると、エネルギー使用量の取得からその送信までにかかる時間）を取得し、取得した経過時間が所定時間（例えば１分など）内であった場合には、取得した使用量を管理サーバ２へ送信する。
【０１０３】
そして、管理サーバ２は、形態機器１から送信された使用量を受信し、それを記憶する。
【０１０４】
また、本実施の形態にかかるシステムにおいて、形態機器１のユーザが当該形態機器１を操作して家電３からのエネルギー使用量の取得を指示すると、当該指示を受けた形態機器１は、家電３で使用されたエネルギー使用量を当該家電３から取得し、その一方で計時を開始する。そして、形態機器１は、収集したエネルギー使用量の管理サーバ２へのアップロードをユーザに指示させる。
【０１０５】
つぎに、形態機器１のユーザが当該形態機器１を操作して当該アップロードを指示すると、当該指示を受けた形態機器１は、計時の開始から当該指示までの経過時間（換言すると、エネルギー使用量の取得からその送信までにかかる時間）を取得し、取得した経過時間が所定時間（例えば１分など）内であった場合には、ＧＰＳ機能で当該形態機器１の位置情報を取得し、取得した位置情報を当該形態機器１に記憶した携帯ＩＤと共に管理サーバ２へ送信する。
【０１０６】
つぎに、管理サーバ２は、形態機器１から送信された位置情報および携帯ＩＤを受信し、受信した位置情報および携帯ＩＤならびに当該管理サーバ２に記憶したユーザ情報に基づいて、当該携帯ＩＤが登録済みのものであり且つ当該位置情報が正しいものであるか否かを認証する。そして、管理サーバ２は、その認証結果を、受信した携帯ＩＤに対応する形態機器１へ送信する。
【０１０７】
つぎに、形態機器１は、管理サーバから送信された認証結果を受信し、受信した認証結果が“携帯ＩＤが登録済みのものであり且つ位置情報が正しいものである”というものであった場合には、取得した使用量を管理サーバ２へ送信する。
【０１０８】
そして、管理サーバ２は、形態機器１から送信された使用量を受信し、それを記憶する。
【０１０９】
以上説明したように、本実施の形態では、ユーザＡが自宅の家電３から正規にエネルギー使用量を取得した場合、当該取得からアップロードまでの時間は１分程度あれば十分と想定し、当該想定した時間で、エネルギー使用量の取得からアップロードまでの時間に制限を設ける。つまり、本実施の形態では、携帯ＩＤおよび位置情報にさらに時間情報を加えて認証を行う。これにより、例えばユーザＡがユーザＢの家にある家電３のエネルギー使用量をユーザＡの形態機器１で収集し、収集したエネルギー使用量をユーザＢの家からユーザＡの家へ移動後に当該形態機器１から管理サーバ２へアップロードしようとした場合、当該移動にはある程度の時間がかかるので、当該形態機器１は、当該アップロードしようとしたエネルギー使用量を、不正データと判断して管理サーバ２へ送信しなくすることができる。つまり、エネルギー使用量の不正アップロードを防ぐことができ、排出権取引に関する省エネ活動を適正に換金できる。
【０１１０】
［２．システム構成］
本実施の形態にかかるシステム（以下、本システムと記す場合がある。）の構成について、図２および図３を参照して説明する。
【０１１１】
［２−１．物理構成］
図２は本システムの物理構成の一例を示すブロック図である。図２において、符号１は携帯機器であり、符号１０はＣＰＵであり、符号１１はメモリであり、符号１２は入力部であり、符号１３は表示部であり、符号１４はタイマーであり、符号１５はネットワーク通信部であり、符号１６はＧＰＳ受信機であり、符号１７は無線タグリーダであり、符号１８は距離検知用の無線通信部である。図２において、符号２は管理サーバであり、符号２０はＣＰＵであり、符号２１はメモリであり、符号２２は外部記憶装置であり、符号２３はネットワーク通信部であり、符号２４は入力部であり、符号２５は表示部である。図２において、符号３は家庭用機器であり、符号３０はＣＰＵであり、符号３１はメモリであり、符号３２は入力部であり、符号３３は無線タグであり、符号３４は電力計測部であり、符号３５は無線通信部である。
【０１１２】
本システムは、携帯機器１と管理サーバ２と家庭用機器３とで構成されている。
【０１１３】
携帯機器１は、ＣＰＵ１０とメモリ１１と入力部１２と表示部１３とタイマー１４とネットワーク通信部１５とＧＰＳ受信機１６と無線タグリーダ１７と無線通信部１８とを備える。ＣＰＵ１０は携帯機器１を統括的に制御する。メモリ１１は情報を記憶する。入力部１２は具体的には操作ボタンであり、ユーザに情報を入力させるためのものである。表示部１３は具体的には液晶画面であり、ユーザに情報を表示するためのものである。タイマー１４は時間を計測する。ネットワーク通信部１５は管理サーバ２とネットワーク経由で通信するためのものである。ＧＰＳ受信機１６は携帯機器１の位置を計測する。無線タグリーダ１７は、家庭用機器３が備える無線タグ３３に格納されている情報を無線で読み取る。無線通信部１８は、具体的にはＺｉｇＢｅｅ（物理層のインターフェースにＩＥＥＥ８０２．１５．４が使われている家電向けの短距離無線通信規格）や特定小電力無線、Ｗｉ−Ｆｉ（無線ＬＡＮの標準規格）などであり、家庭用機器３が備える無線通信部３５と通信して携帯機器１と家庭用機器３との距離を検知するためのものである。
【０１１４】
管理サーバ２は、ＣＰＵ２０とメモリ２１と外部記憶装置２２とネットワーク通信部２３と入力部２４と表示部２５とを備える。ＣＰＵ２０は管理サーバ２を統括的に制御する。メモリ２１は情報を記憶する。外部記憶装置２２は具体的にはハードディスクである。ネットワーク通信部２３は携帯機器１とネットワーク経由で通信するためのものである。入力部２４は具体的にはキーボードであり、ユーザに情報を入力させるためのものである。表示部２５は具体的にはモニタであり、ユーザに情報を表示するためのものである。
【０１１５】
家庭用機器３は、ＣＰＵ３０とメモリ３１と入力部３２と無線タグ３３と電力計測部３４と無線通信部３５とを備える。ＣＰＵ３０は家庭用機器３を統括的に制御する。メモリ３１は情報を記憶する。入力部３２は具体的には操作ボタンや操作パネルであり、ユーザに情報を入力させるためのものである。無線タグ３３は情報を格納し、格納している情報を無線タグリーダ１７へ送信する。電力計測部３４は、家庭用機器３で使用された電力（例えばガスや水道などの使用量でもよい。）を計測する。無線通信部３５は、具体的にはＺｉｇＢｅｅ（物理層のインターフェースにＩＥＥＥ８０２．１５．４が使われている家電向けの短距離無線通信規格）や特定小電力無線、Ｗｉ−Ｆｉ（無線ＬＡＮの標準規格）などであり、携帯機器１が備える無線通信部１８と通信して家庭用機器３と携帯機器１との距離を検知するためのものである。
【０１１６】
［２−２．機能構成］
図３は本システムの機能構成の一例を示すブロック図である。図３において、符号１は携帯機器であり、符号１０ａは位置情報取得手段であり、符号１０ｂはサーバ認証制御手段であり、符号１０ｃはエネルギー使用量収集制御手段であり、符号１０ｄはアップロード指示手段であり、符号１０ｅはアップロード実行手段であり、符号１０ｆは家庭用機器通信手段であり、符号１０ｇは時間計測制御手段であり、符号１０ｈはサーバ通信手段であり、符号１０ｉは距離検知手段であり、符号１０ｊは取得ルール確認手段であり、符号１０ｋは制限時間取得手段である。図３において、符号１１ａは携帯ＩＤ記憶手段であり、符号１１ｂはエネルギー使用量記憶手段である。図３において、符号２は管理サーバであり、符号２０ａは認証手段であり、符号２０ｂは排出量計測手段である。図３において、符号２１ａは制限時間記憶手段であり、符号２１ｂは取得ルール記憶手段である。図３において、符号３は家庭用機器であり、符号３０ａはエネルギー使用量計測手段であり、符号３０ｂは携帯機器通信手段であり、符号３０ｃは電界強度計測手段である。図３において、符号３１ａは家電ＩＤ記憶手段であり、符号３１ｂはエネルギー使用量記憶手段である。
【０１１７】
［２−２−１．携帯機器１の機能構成］
図２で示したＣＰＵ１０は、図３に示すように、機能概念的に、位置情報取得手段１０ａとサーバ認証制御手段１０ｂとサーバ通信手段１０ｈとエネルギー使用量収集制御手段１０ｃと家庭用機器通信手段１０ｆと時間計測制御手段１０ｆと制限時間取得手段１０ｇと距離検知手段１０ｉとアップロード指示手段１０ｄと取得ルール確認手段１０ｊとアップロード実行手段１０ｅとを備えている。また、図２で示したメモリ１１は、図３に示すように、機能概念的に、携帯ＩＤ記憶手段１１ａとエネルギー使用量記憶手段１１ｂとを備えている。
【０１１８】
携帯ＩＤ記憶手段１１ａは、携帯機器１を一意に識別するための携帯機器識別情報としての携帯ＩＤを記憶する。エネルギー使用量記憶手段１１ｂは、家庭用機器３を一意に識別するための家庭用機器識別情報としての家電ＩＤと、当該家電ＩＤに対応する家庭用機器３で使用したエネルギー使用量と、計時の開始からエネルギー使用量の収集までの経過時間／計時の開始またはエネルギー使用量の収集からアップロードの指示までの経過時間と、当該エネルギー使用量の収集順序を一意に識別するための収集順序識別情報としての順番と、を相互に関連付けて記憶する。
【０１１９】
［２−２−１−１．ＣＰＵ１０の機能構成（その１）］
ＣＰＵ１０は、ユーザから入力部１２を介してエネルギー使用量の収集開始の指示を受けると、位置情報取得手段１０ａを起動する。
【０１２０】
位置情報取得手段１０ａは、ＧＰＳ受信機１６を制御して、形態機器１の位置に関する位置情報を取得する。位置情報取得手段１０ａは、当該取得した位置情報をサーバ認証制御手段１０ｂへ転送する。なお、ＧＰＳ受信機１６は、測位用衛星または携帯電話基地局から発信されている電波に基づいて形態機器１の位置を計測する。
【０１２１】
サーバ認証制御手段１０ｂは、位置情報取得手段１０ａから転送された位置情報および携帯ＩＤ記憶手段１１ａに記憶されている携帯ＩＤを、管理サーバ２へ送信すべくサーバ通信手段１０ｈへ転送する。サーバ認証制御手段１０ｂは、サーバ通信手段１０ｈから転送された携帯機器１に関する認証結果（具体的には携帯ＩＤが登録済みのものであり且つ位置情報が正しいものであるか否かに関する認証結果）を、エネルギー使用量収集制御手段１０ｃへ転送する。
【０１２２】
エネルギー使用量収集制御手段１０ｃは、サーバ認証制御手段１０ｂから転送された認証結果が“携帯ＩＤが登録済みのものであり且つ位置情報が正しいものである”、つまり“認証ＯＫ”というものであった場合には、家庭用機器通信手段１０ｆを制御して、家庭用機器３で使用したエネルギー使用量および家庭用機器３の家電ＩＤを収集（取得）する。エネルギー使用量収集制御手段１０ｃは、認証結果が“認証ＯＫ”というものであった場合には、時間計測制御手段１０ｇを制御して計時を開始する。エネルギー使用量収集制御手段１０ｃは、当該収集（取得）したエネルギー使用量および家電ＩＤをエネルギー使用量記憶手段１１ｂに格納すると共に、当該収集（取得）したエネルギー使用量の管理サーバ２へのアップロードの指示依頼をアップロード指示手段１０ｄへ転送する。
【０１２３】
さらに、エネルギー使用量収集制御手段１０ｃは、認証結果が“認証ＯＫ”というものであった場合には、家庭用機器通信手段１０ｆを制御して、複数の家庭用機器３から、エネルギー使用量および家電ＩＤを収集する。エネルギー使用量収集制御手段１０ｃは、当該収集したエネルギー使用量および家電ＩＤならびに当該収集の順番をエネルギー使用量記憶手段１１ｂに格納する。エネルギー使用量収集制御手段１０ｃは、複数の当該順番の並びである収集順序（取得順序）を取得ルール確認手段１０ｊへ転送し、アップロードの指示依頼をアップロード指示手段１０ｄへ転送する。
【０１２４】
アップロード指示手段１０ｄは、エネルギー使用量収集制御手段１０ｃから転送されたアップロードの指示依頼を受信すると、当該エネルギー使用量収集制御手段１０ｃで収集（取得）したエネルギー使用量（具体的にはエネルギー使用量記憶手段１１ｂに格納されているエネルギー使用量）の管理サーバ２へのアップロードをユーザに指示させる。具体的には、アップロード指示手段１０ｄは、エネルギー使用量を管理サーバ２へアップロードするか否かに関してユーザが入力部１２で指示可能に表示部１３に表示し、ユーザからのアップロードの指示に関するアクションを待つ。アップロード指示手段１０ｄは、入力部１２を介して当該アップロードの指示を受けた場合には、当該指示を受けたこと示すアップロードの指示通知を時間計測制御手段１０ｇへ転送する。
【０１２５】
また、アップロード指示手段１０ｄは、入力部１２を介してアップロードの指示を受けた場合には、アップロードの指示通知を距離検知手段１０ｉへ転送する。
【０１２６】
さらに、アップロード指示手段１０ｄは、入力部１２を介してアップロードの指示を受けた場合には、アップロードの指示通知を取得ルール確認手段１０ｊへ転送する。
【０１２７】
アップロード実行手段１０ｅは、時間計測制御手段１０ｇから転送された計時の開始からアップロードの指示までの経過時間（具体的にはエネルギー使用量記憶手段１１ｂに格納されている計時の開始からアップロードの指示までの経過時間）が所定時間内であるか否かを判定する。アップロード実行手段１０ｅは、当該判定の結果が“所定時間内である”というものであった場合には、エネルギー使用量収集制御手段１０ｃで収集（取得）したエネルギー使用量および家電ＩＤ（具体的にはエネルギー使用量記憶手段１１ｂに格納されているエネルギー使用量および家電ＩＤ）を、管理サーバ２へアップロード（送信）すべくサーバ通信手段１０ｈへ転送する。
【０１２８】
また、アップロード実行手段１０ｅは、距離検知手段１０ｉから転送された距離が所定距離内であるか否かを判定する。アップロード実行手段１０ｅは、当該判定の結果が“所定距離内である”というものであった場合には、エネルギー使用量収集制御手段１０ｃで収集したエネルギー使用量および家電ＩＤ（具体的にはエネルギー使用量記憶手段１１ｂに格納されているエネルギー使用量および家電ＩＤ）を、管理サーバ２へアップロードすべくサーバ通信手段１０ｈへ転送する。
【０１２９】
さらに、アップロード実行手段１０ｅは、取得ルール確認手段１０ｊから転送された収集順序に関する判定の結果が“取得ルールと一致する”というものであった場合には、エネルギー使用量収集制御手段１０ｃで収集したエネルギー使用量および家電ＩＤ（具体的にはエネルギー使用量記憶手段１１ｂに格納されているエネルギー使用量および家電ＩＤ）を、管理サーバ２へアップロードすべくサーバ通信手段１０ｈへ転送する。
【０１３０】
家庭用機器通信手段１０ｆは、無線タグリーダ１７を制御して、無線タグ３３からエネルギー使用量および家電ＩＤを収集（取得）する。家庭用機器通信手段１０ｆは、当該収集（取得）したエネルギー使用量および家電ＩＤを、エネルギー使用量収集制御手段１０ｃへ転送する。
【０１３１】
時間計測制御手段１０ｇは、タイマー１４を制御して計時を開始する。時間計測制御手段１０ｇは、アップロード指示手段１０ｄから転送されたアップロードの指示通知を受信すると、タイマー１４を制御して、計時の開始からアップロードの指示までの経過時間を計測する。時間計測制御手段１０ｇは、当該計測した経過時間を、エネルギー使用量記憶手段１１ｂに格納すると共にアップロード実行手段１０ｅへ転送する。
【０１３２】
サーバ通信手段１０ｈは、ネットワーク通信部１５を制御して、ＣＰＵ１０が備えている各手段から転送された情報を管理サーバ２へ送信する。サーバ通信手段１０ｈは、ネットワーク通信部１５を制御して、管理サーバ２から送信された情報を受信する。サーバ通信手段１０ｈは、当該受信した情報を、ＣＰＵ１０が備えている各手段へ転送する。
【０１３３】
距離検知手段１０ｉは、アップロード指示手段１０ｄから転送されたアップロードの指示通知を受信すると、無線通信部１８を制御して家庭用機器３の無線通信部３５へ電波を送信し、無線通信部１８を制御して当該送信した電波に対し当該無線通信部３５から送信された電界強度を受信し、当該受信した電界強度に基づいて携帯機器１と家庭用機器３との距離を検知し、当該検知した距離をアップロード実行手段１０ｅへ転送する。
【０１３４】
取得ルール確認手段１０ｊは、アップロード指示手段１０ｄから転送されたアップロードの指示通知を受信すると、携帯機器１がエネルギー使用量を家庭用機器３から取得する順序に関する取得ルールの提供依頼を、管理サーバ２へ送信すべくサーバ通信手段１０ｈへ転送する。取得ルール確認手段１０ｊは、エネルギー使用量収集制御手段１０ｃから転送された収集順序（取得順序）が、サーバ通信手段１０ｈから転送された取得ルールと一致するか否かを確認（判定）する。取得ルール確認手段１０ｊは、当該判定の結果をアップロード実行手段１０ｅへ転送する。
【０１３５】
ここで、エネルギー使用量収集制御手段１０ｃは、認証結果が“認証ＯＫ”というものであった場合には、制限時間取得手段１０ｋを制御して、携帯機器１が家庭用機器３からエネルギー使用量を収集することができる時間である“収集可能時間”および携帯機器１が管理サーバ２へエネルギー使用量をアップロードすることができる時間である“アップロード可能時間”を、管理サーバ２から取得してもよい。エネルギー使用量収集制御手段１０ｃは、認証結果が“認証ＯＫ”というものであった場合には、時間計測制御手段１０ｇを制御して、計時の開始からエネルギー使用量の収集までの経過時間である“収集経過時間”を取得してもよい。エネルギー使用量収集制御手段１０ｃは、当該取得した収集可能時間をアップロード指示手段１０ｄへ転送し、当該取得したアップロード可能時間をアップロード実行手段１０ｅへ転送してもよい。エネルギー使用量収集制御手段１０ｃは、当該取得した収集経過時間を、エネルギー使用量記憶手段１１ｂに格納すると共にアップロード指示手段１０ｄへ転送してもよい。
【０１３６】
なお、制限時間取得手段１０ｋは、収集可能時間およびアップロード可能時間の提供依頼を、管理サーバ２へ送信すべくサーバ通信手段１０ｈへ転送する。制限時間取得手段１０ｋは、サーバ通信手段１０ｈから転送された収集可能時間およびアップロード可能時間を、エネルギー使用量収集制御手段１０ｃへ転送する。
【０１３７】
また、アップロード指示手段１０ｄは、エネルギー使用量収集制御手段１０ｃから転送された収集経過時間（具体的にはエネルギー使用量記憶手段１１ｂに格納されている収集経過時間）がエネルギー使用量収集制御手段１０ｃから転送された収集可能時間内であるか否かを判定してもよい。アップロード指示手段１０ｄは、当該判定の結果が“収集可能時間内である”というものであった場合には、エネルギー使用量の管理サーバ２へのアップロードをユーザに指示させてもよい。
【０１３８】
また、アップロード実行手段１０ｅは、時間計測制御手段１０ｇから転送された計時の開始またはエネルギー使用量の収集からアップロードの指示までの経過時間である“アップロード経過時間”がエネルギー使用量収集制御手段１０ｃから転送されたアップロード可能時間内であるか否かを判定してもよい。アップロード実行手段１０ｅは、当該判定の結果が“アップロード可能時間内である”というものであった場合には、エネルギー使用量および家電ＩＤをサーバ通信手段１０ｈへ転送してもよい。
【０１３９】
さらに、時間計測制御手段１０ｇは、タイマー１４を制御して収集経過時間を計測してもよい。時間計測制御手段１０ｇは、当該計測した収集経過時間をエネルギー使用量収集制御手段１０ｃへ転送してもよい。時間計測制御手段１０ｇは、アップロード指示手段１０ｄから転送されたアップロードの指示通知を受信すると、タイマー１４を制御してアップロード経過時間を計測してもよい。時間計測制御手段１０ｇは、当該計測したアップロード経過時間を、エネルギー使用量記憶手段１１ｂに格納すると共にアップロード実行手段１０ｅへ転送してもよい。
【０１４０】
また、エネルギー使用量収集制御手段１０ｃは、認証結果が“認証ＯＫ”というものであった場合には、家庭用機器通信手段１０ｅを制御して複数の家庭用機器３からエネルギー使用量を収集してもよい。
【０１４１】
また、アップロード実行手段１０ｅは、距離検知手段１０ｉから転送された各々の距離が所定距離内であるか否かを判定してもよい。アップロード実行手段１０ｅは、当該所定距離内であると判定された距離と対応付けてエネルギー使用量記憶手段１１ｂに格納しているエネルギー使用量および家電ＩＤを、サーバ通信手段１０ｈへ転送してもよい。
【０１４２】
さらに、距離検知手段１０ｉは、アップロード指示手段１０ｄから転送されたアップロードの指示通知を受信すると、エネルギー使用量収集制御手段１０ｃでエネルギー使用量が収集された複数の家庭用機器３に対して携帯機器１と家庭用機器３との距離を検知し、当該検知した各々の距離をエネルギー使用量記憶手段１１ｂに格納しているエネルギー使用量および家電ＩＤと対応付け、当該対応付けられた複数の距離をアップロード実行手段１０ｅへ転送してもよい。
【０１４３】
［２−２−１−２．ＣＰＵ１０の機能構成（その２）］
ＣＰＵ１０は、ユーザから入力部１２を介してエネルギー使用量の収集開始の指示を受けると、エネルギー使用量収集制御手段１０ｃを起動する。
【０１４４】
エネルギー使用量収集制御手段１０ｃは、家庭用機器通信手段１０ｆを制御して、家庭用機器３で使用したエネルギー使用量および家庭用機器３の家電ＩＤを収集（取得）する。エネルギー使用量収集制御手段１０ｃは、時間計測制御手段１０ｇを制御して計時を開始する。エネルギー使用量収集制御手段１０ｃは、当該収集（取得）したエネルギー使用量および家電ＩＤをエネルギー使用量記憶手段１１ｂに格納すると共に、当該収集（取得）したエネルギー使用量の管理サーバ２へのアップロードの指示依頼をアップロード指示手段１０ｄへ転送する。
【０１４５】
さらに、エネルギー使用量収集制御手段１０ｃは、家庭用機器通信手段１０ｆを制御して、複数の家庭用機器３から、エネルギー使用量および家電ＩＤを収集する。エネルギー使用量収集制御手段１０ｃは、当該収集したエネルギー使用量および家電ＩＤならびに当該収集の順番をエネルギー使用量記憶手段１１ｂに格納する。エネルギー使用量収集制御手段１０ｃは、複数の当該順番の並びである収集順序（取得順序）を取得ルール確認手段１０ｊへ転送し、アップロードの指示依頼をアップロード指示手段１０ｄへ転送する。
【０１４６】
アップロード指示手段１０ｄは、エネルギー使用量収集制御手段１０ｃから転送されたアップロードの指示依頼を受信すると、当該エネルギー使用量収集制御手段１０ｃで収集（取得）したエネルギー使用量（具体的にはエネルギー使用量記憶手段１１ｂに格納されているエネルギー使用量）の管理サーバ２へのアップロードをユーザに指示させる。具体的には、アップロード指示手段１０ｄは、エネルギー使用量を管理サーバ２へアップロードするか否かに関してユーザが入力部１２で指示可能に表示部１３に表示し、ユーザからのアップロードの指示に関するアクションを待つ。アップロード指示手段１０ｄは、入力部１２を介して当該アップロードの指示を受けた場合には、当該指示を受けたこと示すアップロードの指示通知を時間計測制御手段１０ｇへ転送する。
【０１４７】
また、アップロード指示手段１０ｄは、入力部１２を介してアップロードの指示を受けた場合には、アップロードの指示通知を距離検知手段１０ｉへ転送する。
【０１４８】
さらに、アップロード指示手段１０ｄは、入力部１２を介してアップロードの指示を受けた場合には、アップロードの指示通知を取得ルール確認手段１０ｊへ転送する。
【０１４９】
アップロード実行手段１０ｅは、時間計測制御手段１０ｇから転送された計時の開始からアップロードの指示までの経過時間（具体的にはエネルギー使用量記憶手段１１ｂに格納されている計時の開始からアップロードの指示までの経過時間）が所定時間内であるか否かを判定する。アップロード実行手段１０ｅは、当該判定の結果が“所定時間内である”というものであった場合には、位置情報取得手段１０ａを制御して携帯機器１の認証を開始する。アップロード実行手段１０ｅは、サーバ認証制御手段１０ｂから転送された携帯機器１に関する認証結果（具体的には携帯ＩＤが登録済みのものであり且つ位置情報が正しいものであるか否かに関する認証結果）が“携帯ＩＤが登録済みのものであり且つ位置情報が正しいものである”、つまり“認証ＯＫ”というものであった場合には、エネルギー使用量収集制御手段１０ｃで収集（取得）したエネルギー使用量および家電ＩＤ（具体的にはエネルギー使用量記憶手段１１ｂに格納されているエネルギー使用量および家電ＩＤ）を、管理サーバ２へアップロード（送信）すべくサーバ通信手段１０ｈへ転送する。
【０１５０】
また、アップロード実行手段１０ｅは、距離検知手段１０ｉから転送された距離が所定距離内であるか否かを判定する。アップロード実行手段１０ｅは、当該判定の結果が“所定距離内である”というものであった場合には、位置情報取得手段１０ａを制御して携帯機器１の認証を開始する。アップロード実行手段１０ｅは、サーバ認証制御手段１０ｂから転送された携帯機器１に関する認証結果が“認証ＯＫ”というものであった場合には、エネルギー使用量収集制御手段１０ｃで収集（取得）したエネルギー使用量および家電ＩＤを、管理サーバ２へアップロード（送信）すべくサーバ通信手段１０ｈへ転送する。
【０１５１】
さらに、アップロード実行手段１０ｅは、取得ルール確認手段１０ｊから転送された収集順序に関する判定の結果が“取得ルールと一致する”というものであった場合には、位置情報取得手段１０ａを制御して携帯機器１の認証を開始する。アップロード実行手段１０ｅは、サーバ認証制御手段１０ｂから転送された携帯機器１に関する認証結果が“認証ＯＫ”というものであった場合には、エネルギー使用量収集制御手段１０ｃで収集したエネルギー使用量および家電ＩＤを、管理サーバ２へアップロードすべくサーバ通信手段１０ｈへ転送する。
【０１５２】
位置情報取得手段１０ａは、ＧＰＳ受信機１６を制御して、形態機器１の位置に関する位置情報を取得する。位置情報取得手段１０ａは、当該取得した位置情報をサーバ認証制御手段１０ｂへ転送する。なお、ＧＰＳ受信機１６は、測位用衛星または携帯電話基地局から発信されている電波に基づいて形態機器１の位置を計測する。
【０１５３】
サーバ認証制御手段１０ｂは、位置情報取得手段１０ａから転送された位置情報および携帯ＩＤ記憶手段１１ａに記憶されている携帯ＩＤを、管理サーバ２へ送信すべくサーバ通信手段１０ｈへ転送する。サーバ認証制御手段１０ｂは、サーバ通信手段１０ｈから転送された携帯機器１に関する認証結果（具体的には携帯ＩＤが登録済みのものであり且つ位置情報が正しいものであるか否かに関する認証結果）を、アップロード実行手段１０ｅへ転送する。
【０１５４】
家庭用機器通信手段１０ｆは、無線タグリーダ１７を制御して、無線タグ３３からエネルギー使用量および家電ＩＤを収集（取得）する。家庭用機器通信手段１０ｆは、当該収集（取得）したエネルギー使用量および家電ＩＤを、エネルギー使用量収集制御手段１０ｃへ転送する。
【０１５５】
時間計測制御手段１０ｇは、タイマー１４を制御して計時を開始する。時間計測制御手段１０ｇは、アップロード指示手段１０ｄから転送されたアップロードの指示通知を受信すると、タイマー１４を制御して、計時の開始からアップロードの指示までの経過時間を計測する。時間計測制御手段１０ｇは、当該計測した経過時間を、エネルギー使用量記憶手段１１ｂに格納すると共にアップロード実行手段１０ｅへ転送する。
【０１５６】
サーバ通信手段１０ｈは、ネットワーク通信部１５を制御して、ＣＰＵ１０が備えている各手段から転送された情報を管理サーバ２へ送信する。サーバ通信手段１０ｈは、ネットワーク通信部１５を制御して、管理サーバ２から送信された情報を受信する。サーバ通信手段１０ｈは、当該受信した情報を、ＣＰＵ１０が備えている各手段へ転送する。
【０１５７】
距離検知手段１０ｉは、アップロード指示手段１０ｄから転送されたアップロードの指示通知を受信すると、無線通信部１８を制御して家庭用機器３の無線通信部３５へ電波を送信し、無線通信部１８を制御して当該送信した電波に対し当該無線通信部３５から送信された電界強度を受信し、当該受信した電界強度に基づいて携帯機器１と家庭用機器３との距離を検知し、当該検知した距離をアップロード実行手段１０ｅへ転送する。
【０１５８】
取得ルール確認手段１０ｊは、アップロード指示手段１０ｄから転送されたアップロードの指示通知を受信すると、携帯機器１がエネルギー使用量を家庭用機器３から取得する順序に関する取得ルールの提供依頼を、管理サーバ２へ送信すべくサーバ通信手段１０ｈへ転送する。取得ルール確認手段１０ｊは、エネルギー使用量収集制御手段１０ｃから転送された収集順序（取得順序）が、サーバ通信手段１０ｈから転送された取得ルールと一致するか否かを確認（判定）する。取得ルール確認手段１０ｊは、当該判定の結果をアップロード実行手段１０ｅへ転送する。
【０１５９】
ここで、エネルギー使用量収集制御手段１０ｃは、制限時間取得手段１０ｋを制御して、携帯機器１が家庭用機器３からエネルギー使用量を収集することができる時間である“収集可能時間”および携帯機器１が管理サーバ２へエネルギー使用量をアップロードすることができる時間である“アップロード可能時間”を、管理サーバ２から取得してもよい。エネルギー使用量収集制御手段１０ｃは、時間計測制御手段１０ｇを制御して、計時の開始からエネルギー使用量の収集までの経過時間である“収集経過時間”を取得してもよい。エネルギー使用量収集制御手段１０ｃは、当該取得した収集可能時間をアップロード指示手段１０ｄへ転送し、当該取得したアップロード可能時間をアップロード実行手段１０ｅへ転送してもよい。エネルギー使用量収集制御手段１０ｃは、当該取得した収集経過時間を、エネルギー使用量記憶手段１１ｂに格納すると共にアップロード指示手段１０ｄへ転送してもよい。
【０１６０】
なお、制限時間取得手段１０ｋは、収集可能時間およびアップロード可能時間の提供依頼を、管理サーバ２へ送信すべくサーバ通信手段１０ｈへ転送する。制限時間取得手段１０ｋは、サーバ通信手段１０ｈから転送された収集可能時間およびアップロード可能時間を、エネルギー使用量収集制御手段１０ｃへ転送する。
【０１６１】
また、アップロード指示手段１０ｄは、エネルギー使用量収集制御手段１０ｃから転送された収集経過時間（具体的にはエネルギー使用量記憶手段１１ｂに格納されている収集経過時間）がエネルギー使用量収集制御手段１０ｃから転送された収集可能時間内であるか否かを判定してもよい。アップロード指示手段１０ｄは、当該判定の結果が“収集可能時間内である”というものであった場合には、エネルギー使用量の管理サーバ２へのアップロードをユーザに指示させてもよい。
【０１６２】
また、アップロード実行手段１０ｅは、時間計測制御手段１０ｇから転送された計時の開始またはエネルギー使用量の収集からアップロードの指示までの経過時間である“アップロード経過時間”がエネルギー使用量収集制御手段１０ｃから転送されたアップロード可能時間内であるか否かを判定してもよい。アップロード実行手段１０ｅは、当該判定の結果が“アップロード可能時間内である”というものであった場合には、位置情報取得手段１０ａを制御して携帯機器１の認証を開始してもよい。
【０１６３】
さらに、時間計測制御手段１０ｇは、タイマー１４を制御して収集経過時間を計測してもよい。時間計測制御手段１０ｇは、当該計測した収集経過時間をエネルギー使用量収集制御手段１０ｃへ転送してもよい。時間計測制御手段１０ｇは、アップロード指示手段１０ｄから転送されたアップロードの指示通知を受信すると、タイマー１４を制御してアップロード経過時間を計測してもよい。時間計測制御手段１０ｇは、当該計測したアップロード経過時間を、エネルギー使用量記憶手段１１ｂに格納すると共にアップロード実行手段１０ｅへ転送してもよい。
【０１６４】
また、エネルギー使用量収集制御手段１０ｃは、家庭用機器通信手段１０ｅを制御して複数の家庭用機器３からエネルギー使用量を収集してもよい。
【０１６５】
また、アップロード実行手段１０ｅは、距離検知手段１０ｉから転送された各々の距離が所定距離内であるか否かを判定してもよい。アップロード実行手段１０ｅは、当該転送された距離が当該所定距離内であると判定された場合には、位置情報取得手段１０ａを制御して携帯機器１の認証を開始してもよい。アップロード実行手段１０ｅは、サーバ認証制御手段１０ｂから転送された携帯機器１に関する認証結果が“認証ＯＫ”というものであった場合には、当該所定距離内であると判定された距離と対応付けてエネルギー使用量記憶手段１１ｂに格納しているエネルギー使用量および家電ＩＤを、サーバ通信手段１０ｈへ転送してもよい。
【０１６６】
さらに、距離検知手段１０ｉは、アップロード指示手段１０ｄから転送されたアップロードの指示通知を受信すると、エネルギー使用量収集制御手段１０ｃでエネルギー使用量が収集された複数の家庭用機器３のうちの少なくとも１つの家庭用機器３に対して携帯機器１と家庭用機器３との距離を検知し、当該検知した各々の距離をエネルギー使用量記憶手段１１ｂに格納しているエネルギー使用量および家電ＩＤと対応付け、当該対応付けられた複数の距離をアップロード実行手段１０ｅへ転送してもよい。
【０１６７】
［２−２−２．管理サーバ２の機能構成］
図２で示したＣＰＵ２０は、図３に示すように、機能概念的に、認証手段２０ａと排出量計測手段２０ｂとを備えている。図２で示したメモリ２１は、図３に示すように、機能概念的に、制限時間記憶手段２１ａと取得ルール記憶手段２１ｂとを備えている。
【０１６８】
メモリ２１は携帯機器１のユーザに関するユーザ情報を記憶する。制限時間記憶手段２１ａは収集可能時間およびアップロード可能時間を記憶する。取得ルール記憶手段２１ｂは取得ルールを記憶する。
【０１６９】
ＣＰＵ２０は、ネットワーク通信部２３を制御して、携帯機器１から送信された情報を受信する。ＣＰＵ２０は、当該受信した情報を、ＣＰＵ２０が備える各手段へ転送する。ＣＰＵ２０は、ネットワーク通信部２３を制御して、ＣＰＵ２０が備える各手段から転送された情報を携帯機器１へ送信する。
【０１７０】
認証手段２０ａは、ＣＰＵ２０から転送された位置情報および携帯ＩＤならびにメモリ２１に記憶されている携帯機器１のユーザに関するユーザ情報に基づいて、当該携帯ＩＤが登録済みのものであり且つ当該位置情報が正しいものであるか否かを認証する。認証手段２０ａは、当該認証の結果を携帯機器１へ送信すべくＣＰＵ２０へ転送する。
【０１７１】
排出量計測手段２０ｂは、ＣＰＵ２０から転送されたエネルギー使用量に基づいて、二酸化炭素の排出量を計測する。
【０１７２】
［２−２−３．家庭用機器３の機能構成］
図２で示したＣＰＵ３０は、図３に示すように、機能概念的に、エネルギー使用量計測手段３０ａと携帯機器通信手段３０ｂと電界強度計測手段３０ｃとを備えている。図２で示したメモリ３１は、図３に示すように、機能概念的に、家電ＩＤ記憶手段３１ａとエネルギー使用量記憶手段３１ｂとを備えている。
【０１７３】
家電ＩＤ記憶手段３１ａは家庭用機器を一意に識別するための家庭用機器識別情報としての家電ＩＤを記憶する。エネルギー使用量記憶手段３１ｂは、エネルギー使用量計測手段３０ａで計測したエネルギー使用量を記憶する。
【０１７４】
エネルギー使用量計測手段３０ａは、電力計測部３４を制御して、家庭用機器３で使用したエネルギー使用量（具体的には電力量）を計測する。エネルギー使用量計測手段３０ａは、当該計測したエネルギー使用量をエネルギー使用量記憶手段３１ｂに格納する。エネルギー使用量計測手段３０ａは、当該計測したエネルギー使用量および家電ＩＤ記憶手段３１ａに格納されている家電ＩＤを、無線タグ３３に格納する。
【０１７５】
携帯機器通信手段３０ｂは、無線タグ３３を制御して、当該無線タグ３３に格納されているエネルギー使用量および家電ＩＤを携帯機器１（具体的には無線タグリーダ１７）へ発信する。
【０１７６】
電界強度計測手段３０ｃは、無線通信部３５を制御して携帯機器１の無線通信部１８から送信された電波を受信し、当該受信した電波に基づいて電界強度を計測し、無線通信部３５を制御して当該計測した電界強度を当該無線通信部１８へ送信する。
【０１７７】
［３．システムの処理］
本システムで行われる処理の一例について、図４から図１４を参照して説明する。
【０１７８】
［３−１．処理（その１）］
図４は、本システムで行われる処理（その１）の一例を示すフローチャートである。
【０１７９】
まず、ユーザが携帯機器１の入力部１２を操作して消費電力の収集開始を指示すると、ＣＰＵ１０は位置情報取得手段１０ａを起動し、位置情報取得手段１０ａはＧＰＳ受信機１６を制御して当該携帯機器１の位置情報を取得し、当該取得した位置情報をサーバ認証制御手段１０ｂへ転送する（ステップＳＡ１）。
【０１８０】
つぎに、サーバ認証制御手段１０ｂはステップＳＡ１で転送された位置情報および携帯ＩＤ記憶手段１１ａに記憶されている携帯ＩＤをサーバ通信手段１０ｈへ転送し、サーバ通信手段１０ｈはネットワーク通信部１５を制御して当該転送された位置情報および携帯ＩＤを管理サーバ２へ送信する（ステップＳＡ２）。
【０１８１】
つぎに、ＣＰＵ２０はネットワーク通信部２３を制御して携帯機器１から送信された位置情報および携帯ＩＤを受信し、当該受信した位置情報および携帯ＩＤを認証手段２０ａへ転送し、認証手段２０ａは当該転送された位置情報および携帯ＩＤならびにメモリ２１に記憶されているユーザ情報に基づいて、当該携帯ＩＤが登録済みのものであり且つ当該位置情報が正しいものであるか否かを認証し、当該認証の結果をＣＰＵ２０へ転送する（ステップＳＡ３）。
【０１８２】
つぎに、ＣＰＵ２０は、ステップＳＡ３で転送された認証結果が“携帯ＩＤが登録済みのものであり且つ位置情報が正しいものである”というものでなかった場合（ステップＳＡ４：Ｎｏ）には、ネットワーク通信部２３を制御して、ステップＳＡ３で受信した携帯ＩＤに対応する携帯機器１へ“認証ＮＧ”を意味する認証結果を送信する（ステップＳＡ５）。また、ＣＰＵ２０は、当該認証結果が“携帯ＩＤが登録済みのものであり且つ位置情報が正しいものである”というものであった場合（ステップＳＡ４：Ｙｅｓ）には、ネットワーク通信部２３を制御して、当該受信した携帯ＩＤに対応する携帯機器１へ“認証ＯＫ”を意味する認証結果を送信する（ステップＳＡ６）。
【０１８３】
つぎに、サーバ通信手段１０ｈはネットワーク通信部１５を制御して管理サーバ２から送信された認証結果を受信し、当該受信した認証結果をサーバ認証制御手段１０ｂへ転送し、サーバ認証制御手段１０ｂは当該転送された認証結果をエネルギー使用量収集制御手段１０ｃへ転送し、エネルギー使用量収集制御手段１０ｃは当該転送された認証結果が“認証ＯＫ”を意味するものであった場合（ステップＳＡ７：Ｙｅｓ）には時間計測制御手段１０ｇを制御して時間の計測を開始する（ステップＳＡ８）。なお、エネルギー使用量収集制御手段１０ｃは、当該認証結果が“認証ＯＫ”を意味するものでなかった場合（ステップＳＡ７：Ｎｏ）には認証エラーということで本処理を終了させる。
【０１８４】
つぎに、エネルギー使用量収集制御手段１０ｃは家庭用機器通信手段１０ｆを制御して家庭用機器３で消費した消費電力および当該家庭用機器３の家電ＩＤを収集し、当該収集した消費電力および家電ＩＤをエネルギー使用量記憶手段１１ｂに格納すると共にアップロードの指示依頼をアップロード指示手段１０ｄへ転送する（ステップＳＡ９）。
【０１８５】
つぎに、アップロード指示手段１０ｄはステップＳＡ９で転送されたアップロードの指示依頼を受信すると、ステップＳＡ９で収集した消費電力の管理サーバ２へのアップロードをユーザに指示させる（ステップＳＡ１０）。
【０１８６】
つぎに、アップロード指示手段１０ｄはアップロードの指示を受けた場合にはアップロードの指示通知を時間計測制御手段１０ｇへ転送し、時間計測制御手段１０ｇは当該転送された指示通知を受信するとタイマー１４を制御してステップＳＡ８で時間の計測を開始した時から当該指示通知を受信した時までの経過時間を計測し、当該計測した経過時間をエネルギー使用量記憶手段１１ｂに格納すると共にアップロード実行手段１０ｅへ転送し、アップロード実行手段１０ｅは当該転送された経過時間が所定の制限時間内であるか否かを判定し、当該判定の結果が“所定の制限時間内である”というものでなかった場合（ステップＳＡ１１：Ｎｏ）にはステップＳＡ９でエネルギー使用量記憶手段１１ｂに格納した消費電力および家電ＩＤをアップロード失敗ということでエネルギー使用量記憶手段１１ｂからリセット（消去）し（ステップＳＡ１２）、当該判定の結果が“所定の制限時間内である”というものであった場合（ステップＳＡ１１：Ｙｅｓ）にはステップＳＡ９でエネルギー使用量記憶手段１１ｂに格納した消費電力および家電ＩＤを正常アップロードということでサーバ通信手段１０ｈへ転送し、サーバ通信手段１０ｈはネットワーク通信部１５を制御して当該転送された消費電力および家電ＩＤを管理サーバ２へアップロードする（ステップＳＡ１３）。
【０１８７】
そして、ＣＰＵ２０はネットワーク通信部２３を制御して携帯機器１から送信された消費電力および家電ＩＤを受信し（ステップＳＡ１４）、当該受信した消費電力および家電ＩＤをメモリ２１に記録する（ステップＳＡ１５）。
【０１８８】
以上説明したように、本処理は、携帯機器１側で時間を計測してアップロードの可否を判断する場合の一例であったが、図５に示すように、管理サーバ２側で時間を計測してアップロードの可否を判断してもよい。図５は、本システムで行われる処理（その１）の別の一例を示すフローチャートである。なお、ここでは、上述した説明と重複するものを省略する場合がある。
【０１８９】
ＣＰＵ２０は、ステップＳＢ３で転送された認証結果が“携帯ＩＤが登録済みのものであり且つ位置情報が正しいものである”というものであった場合（ステップＳＢ４：Ｙｅｓ）には、時間の計測を開始し（ステップＳＢ６）、ネットワーク通信部２３を制御してステップＳＢ３で受信した携帯ＩＤに対応する携帯機器１へ“認証ＯＫ”を意味する認証結果を送信する（ステップＳＢ７）。
【０１９０】
エネルギー使用量収集制御手段１０ｃは当該転送された認証結果が“認証ＯＫ”を意味するものであった場合（ステップＳＢ８：Ｙｅｓ）には家庭用機器通信手段１０ｆを制御して家庭用機器３で消費した消費電力および当該家庭用機器３の家電ＩＤを収集し、当該収集した消費電力および家電ＩＤをエネルギー使用量記憶手段１１ｂに格納すると共にアップロードの指示依頼をアップロード指示手段１０ｄへ転送する（ステップＳＢ９）。
【０１９１】
アップロード指示手段１０ｄはアップロードの指示を受けた場合にはアップロードの指示通知をアップロード実行手段１０ｅへ転送し、アップロード実行手段１０ｅは当該転送されたアップロードの指示通知を受信すると、ステップＳＢ９でエネルギー使用量記憶手段１１ｂに格納した消費電力および家電ＩＤをサーバ通信手段１０ｈへ転送し、サーバ通信手段１０ｈはネットワーク通信部１５を制御して当該転送された消費電力および家電ＩＤを管理サーバ２へアップロードする（ステップＳＢ１１）。
【０１９２】
ＣＰＵ２０はネットワーク通信部２３を制御して携帯機器１から送信された消費電力および家電ＩＤを受信し（ステップＳＢ１２）、ステップＳＢ６で時間の計測を開始した時から当該受信した時までの経過時間を計測し、当該計測した経過時間が所定の制限時間内であるか否かを判定し、当該判定の結果が“所定の制限時間内である”というものでなかった場合（ステップＳＢ１３：Ｎｏ）には当該受信した消費電力および家電ＩＤをリセット（消去）すると共にネットワーク通信部２３を制御してアップロードＮＧを意味するアップロード結果を携帯機器１へ送信し（ステップＳＢ１４）、当該判定の結果が“所定の制限時間内である”というものであった場合（ステップＳＢ１３：Ｙｅｓ）には当該消費電力および当該家電ＩＤをメモリ２１に記録し（ステップＳＢ１５）、ネットワーク通信部２３を制御してアップロードＯＫを意味するアップロード結果を携帯機器１へ送信する（ステップＳＢ１６）。
【０１９３】
サーバ通信手段１０ｈはネットワーク通信部１５を制御して管理サーバ２から送信されたアップロード結果を受信し、当該受信したアップロード結果をアップロード実行手段１０ｅへ転送し、アップロード実行手段１０ｅは当該転送されたアップロード結果が“アップロードＯＫ”を意味するものでなかった場合（ステップＳＢ１７：Ｎｏ）にはステップＳＢ９でエネルギー使用量記憶手段１１ｂに格納した消費電力および家電ＩＤをアップロード失敗ということでエネルギー使用量記憶手段１１ｂからリセット（消去）する（ステップＳＢ１８）。
【０１９４】
［３−２．処理（その２）］
図６は、本システムで行われる処理（その２）の一例を示すフローチャートである。なお、ここでは、上述した説明と重複するものを省略する場合がある。
【０１９５】
エネルギー使用量収集制御手段１０ｃは当該転送された認証結果が“認証ＯＫ”を意味するものであった場合（ステップＳＣ７：Ｙｅｓ）には制限時間取得手段１０ｋを制御して消費電力の取得可能時間および消費電力の送信可能時間を管理サーバ２から取得し、当該取得した取得可能時間をアップロード指示手段１０ｄへ転送すると共に当該取得した送信可能時間をアップロード実行手段１０ｅへ転送する（ステップＳＣ８）。
【０１９６】
エネルギー使用量収集制御手段１０ｃは時間計測制御手段１０ｇを制御して時間の計測を開始する（ステップＳＣ９）。
【０１９７】
エネルギー使用量収集制御手段１０ｃは家庭用機器通信手段１０ｆを制御して家庭用機器３で消費した消費電力および当該家庭用機器３の家電ＩＤを収集し、時間計測制御手段１０ｇを制御してステップＳＣ９で時間の計測を開始した時から当該収集した時までの経過時間である“取得経過時間”を取得し、当該収集した消費電力および家電ＩＤならびに当該取得した取得経過時間をエネルギー使用量記憶手段１１ｂに格納すると共にアップロードの指示依頼をアップロード指示手段１０ｄへ転送する（ステップＳＣ１０）。
【０１９８】
アップロード指示手段１０ｄはステップＳＣ１０で転送されたアップロードの指示依頼を受信すると、ステップＳＣ１０でエネルギー使用量記憶手段１１ｂに格納した取得経過時間がステップＳＣ８で転送された取得可能時間内であるか否かを判定し、当該判定の結果が“取得可能時間内である”というものであった場合（ステップＳＣ１１：Ｙｅｓ）には、ステップＳＣ１０で収集した消費電力の管理サーバ２へのアップロードをユーザに指示させる（ステップＳＣ１２）。なお、アップロード指示手段１０ｄは、当該判定の結果が“取得可能時間内である”というものでなかった場合（ステップＳＣ１１：Ｎｏ）にはステップＳＣ１０でエネルギー使用量記憶手段１１ｂに格納した消費電力および家電ＩＤをアップロード失敗ということでエネルギー使用量記憶手段１１ｂからリセット（消去）する（ステップＳＣ１５）。
【０１９９】
アップロード指示手段１０ｄはアップロードの指示を受けた場合にはアップロードの指示通知を時間計測制御手段１０ｇへ転送し、時間計測制御手段１０ｇは当該転送されたアップロードの指示通知を受信するとタイマー１４を制御してステップＳＣ９で時間の計測を開始した時またはステップＳＣ１０で消費電力を収集した時から当該指示通知を受信した時までの経過時間である“送信経過時間”を計測し、当該計測した送信経過時間をエネルギー使用量記憶手段１１ｂに格納すると共にアップロード実行手段１０ｅへ転送し、アップロード実行手段１０ｅは、当該転送された送信経過時間がステップＳＣ８で転送された送信可能時間内であるか否かを判定し、当該判定の結果が“送信可能時間内である”というものであった場合（ステップＳＣ１３：Ｙｅｓ）にはステップＳＣ１０でエネルギー使用量記憶手段１１ｂに格納した消費電力および家電ＩＤを正常アップロードということでサーバ通信手段１０ｈへ転送し（ステップＳＣ１４）、当該判定の結果が“送信可能時間内である”というものでなかった場合（ステップＳＣ１３：Ｎｏ）にはステップＳＣ１０でエネルギー使用量記憶手段１１ｂに格納した消費電力および家電ＩＤをアップロード失敗ということでエネルギー使用量記憶手段１１ｂからリセット（消去）する（ステップＳＣ１５）。
【０２００】
以上説明したように、本処理は、収集した消費電力の採用の判断や消費電力のアップロードの可否の判断を時間に基づいて行う場合の一例であったが、これらの判断を距離に基づいて行ってもよい。
【０２０１】
［３−３．処理（その３）］
図７は、本システムで行われる処理（その３）の一例を示すフローチャートである。なお、ここでは、上述した説明と重複するものを省略する場合がある。
【０２０２】
エネルギー使用量収集制御手段１０ｃは当該転送された認証結果が“認証ＯＫ”を意味するものであった場合（ステップＳＤ７：Ｙｅｓ）には家庭用機器通信手段１０ｆを制御して家庭用機器３で消費した消費電力および当該家庭用機器３の家電ＩＤを収集し、当該収集した消費電力および家電ＩＤをエネルギー使用量記憶手段１１ｂに格納すると共に、アップロードの指示依頼をアップロード指示手段１０ｄへ転送する（ステップＳＤ８）。
【０２０３】
アップロード指示手段１０ｄはエネルギー使用量収集制御手段１０ｃから転送されたアップロードの指示依頼を受信すると、ステップＳＤ８で収集した消費電力の管理サーバ２へのアップロードをユーザに指示させる（ステップＳＤ９）。
【０２０４】
アップロード指示手段１０ｄはアップロードの指示を受けた場合にはアップロードの指示通知を距離検知手段１０ｉへ転送して距離検知手段１０ｉに携帯機器１と家庭用機器３との間の距離を検出させる（ステップＳＤ１０）。
【０２０５】
アップロード実行手段１０ｅはステップＳＤ１０で距離検知手段１０ｉから転送された距離が一定距離内であるか否かを判定し、当該判定の結果が“一定距離内である”というものでなかった場合（ステップＳＤ１１：Ｎｏ）にはステップＳＤ８でエネルギー使用量記憶手段１１ｂに格納した消費電力および家電ＩＤをアップロード失敗ということでエネルギー使用量記憶手段１１ｂからリセット（消去）し（ステップＳＤ１２）、当該判定の結果が“一定距離内である”というものであった場合（ステップＳＤ１１：Ｙｅｓ）にはステップＳＤ８でエネルギー使用量記憶手段１１ｂに格納した消費電力および家電ＩＤを正常アップロードということでサーバ通信手段１０ｈへ転送し、サーバ通信手段１０ｈはネットワーク通信部１５を制御して当該転送された消費電力および家電ＩＤを管理サーバ２へアップロードする（ステップＳＤ１３）。
【０２０６】
以上説明したように、本処理は、収集した消費電力を個々に管理サーバ２へアップロードする場合の一例であったが、図８に示すように、収集した複数の消費電力をまとめて管理サーバ２へアップロードしてもよい。図８は、本システムで行われる処理（その３）の別の一例を示すフローチャートである。なお、ここでは、上述した説明と重複するものを省略する場合がある。
【０２０７】
エネルギー使用量収集制御手段１０ｃは家庭用機器通信手段１０ｆを制御して複数の家庭用機器３（例えばある宅に設置されている全ての家庭用機器３）に対してステップＳＥ８を繰り返し行い（ステップＳＥ９：Ｙｅｓ）、複数の家庭用機器３に対してステップＳＥ８を終えると（ステップＳＥ９：Ｎｏ）、ステップＳＥ８で収集した消費電力の管理サーバ２へのアップロードの指示依頼をアップロード指示手段１０ｄへ転送する。
【０２０８】
アップロード指示手段１０ｄは、エネルギー使用量収集制御手段１０ｃから転送されたアップロードの指示依頼を受信すると、ステップＳＥ８で収集した消費電力の管理サーバ２へのアップロードをユーザに指示させる（ステップＳＥ１０）。
【０２０９】
アップロード指示手段１０ｄはアップロードの指示を受けた場合にはアップロードの指示通知を距離検知手段１０ｉへ転送して距離検知手段１０ｉに、ステップＳＥ８で消費電力が収集された家庭用機器３に対して携帯機器１と家庭用機器３との間の距離を検出させる（ステップＳＥ１１）。
【０２１０】
アップロード実行手段１０ｅはステップＳＥ１１で距離検知手段１０ｉから転送された複数の距離のそれぞれが一定距離内であるか否かを判定し、当該判定の結果が“一定距離内である”というものでなかった場合（ステップＳＥ１２：Ｎｏ）には当該判定の結果を受けた距離と対応付けてエネルギー使用量記憶手段１１ｂに格納した消費電力および家電ＩＤをアップロード失敗ということでエネルギー使用量記憶手段１１ｂからリセットし（ステップＳＥ１３）、当該判定の結果が“一定距離内である”というものであった場合（ステップＳＥ１２：Ｙｅｓ）には当該判定の結果を受けた距離と対応付けてエネルギー使用量記憶手段１１ｂに格納した消費電力および家電ＩＤを正常アップロードということで複数まとめてサーバ通信手段１０ｈへ転送し、サーバ通信手段１０ｈはネットワーク通信部１５を制御して当該転送された複数の消費電力および家電ＩＤを管理サーバ２へアップロードする（ステップＳＥ１４）。
【０２１１】
以上説明したように、本処理は、アップロードの可否を距離に基づいて判断する場合の一例であったが、アップロードの可否を時間に基づいて判断してもよい。
【０２１２】
［３−４．処理（その４）］
図９は、本システムで行われる処理（その４）の一例を示すフローチャートである。なお、ここでは、上述した説明と重複するものを省略する場合がある。
【０２１３】
エネルギー使用量収集制御手段１０ｃは当該転送された認証結果が“認証ＯＫ”を意味するものであった場合（ステップＳＦ７：Ｙｅｓ）には家庭用機器通信手段１０ｆを制御して家庭用機器３で消費した消費電力および当該家庭用機器３の家電ＩＤを収集し、当該収集した消費電力および家電ＩＤならびに当該収集の順番をエネルギー使用量記憶手段１１ｂに格納する（ステップＳＦ８）。
【０２１４】
エネルギー使用量収集制御手段１０ｃは家庭用機器通信手段１０ｆを制御して、複数の家庭用機器３（例えばある宅に設置されている全ての家庭用機器３）に対してステップＳＦ８を繰り返し行い（ステップＳＦ９：Ｎｏ）、複数の家庭用機器３に対してステップＳＦ８を終えると（ステップＳＦ９：Ｙｅｓ）、ステップＳＦ８で収集した消費電力の管理サーバ２へのアップロードの指示依頼をアップロード指示手段１０ｄへ転送する。
【０２１５】
アップロード指示手段１０ｄは、エネルギー使用量収集制御手段１０ｃから転送されたアップロードの指示依頼を受信すると、ステップＳＦ８で収集した消費電力の管理サーバ２へのアップロードをユーザに指示させる（ステップＳＦ１０）。
【０２１６】
アップロード指示手段１０ｄはアップロードの指示を受けた場合にはアップロードの指示通知を取得ルール確認手段１０ｊへ転送し、取得ルール確認手段１０ｊは当該転送されたアップロードの指示通知を受信すると取得ルールの提供依頼サーバ通信手段１０ｈへ転送し、当該提供依頼に対してサーバ通信手段１０ｈから転送された取得ルールを受信して取得し、当該取得した取得ルールをアップロード実行手段１０ｅへ転送する（ステップＳＦ１１）。
【０２１７】
アップロード実行手段１０ｅは、繰り返し行われたステップＳＦ８でエネルギー使用量記憶手段１１ｂに格納した複数の順番の並びである取得順序がステップＳＦ１１で転送された取得ルールと一致しているか否かを判定し、当該判定の結果が“一致している”というものでなかった場合（ステップＳＦ１２：Ｎｏ）にはステップＳＦ８でエネルギー使用量記憶手段１１ｂに格納した消費電力および家電ＩＤをアップロード失敗ということでエネルギー使用量記憶手段１１ｂからリセットし（ステップＳＦ１３）、当該判定の結果が“一致している”というものであった場合（ステップＳＦ１２：Ｙｅｓ）にはステップＳＦ８でエネルギー使用量記憶手段１１ｂに格納した消費電力および家電ＩＤを正常アップロードということで複数まとめてサーバ通信手段１０ｈへ転送し、サーバ通信手段１０ｈはネットワーク通信部１５を制御して当該転送された複数の消費電力および家電ＩＤを管理サーバ２へアップロードする（ステップＳＦ１４）。
【０２１８】
［３−５．処理（その５）］
図１０は、本システムで行われる処理（その５）の一例を示すフローチャートである。なお、ここでは、上述した説明と重複するものを省略する場合がある。
【０２１９】
まず、ユーザが携帯機器１の入力部１２にある“収集開始ボタン”を押下して消費電力の収集開始を指示すると、当該指示を受けたＣＰＵ１０はエネルギー使用量収集制御手段１０ｃを起動し（ステップＳＧ１）、エネルギー使用量収集制御手段１０ｃは時間計測制御手段１０ｇを制御して時間の計測を開始する（ステップＳＧ２）。
【０２２０】
つぎに、エネルギー使用量収集制御手段１０ｃは家庭用機器通信手段１０ｆを制御して家庭用機器３で消費した消費電力および当該家庭用機器３の家電ＩＤを収集し、当該収集した消費電力および家電ＩＤをエネルギー使用量記憶手段１１ｂに格納すると共にアップロードの指示依頼をアップロード指示手段１０ｄへ転送する（ステップＳＧ３）。
【０２２１】
つぎに、アップロード指示手段１０ｄはステップＳＧ３で転送されたアップロードの指示依頼を受信すると、ステップＳＧ３で収集した消費電力の管理サーバ２へのアップロードをユーザに指示させる（ステップＳＧ４）。
【０２２２】
つぎに、アップロード指示手段１０ｄはアップロードの指示を受けた場合にはアップロードの指示通知を時間計測制御手段１０ｇへ転送し、時間計測制御手段１０ｇは当該転送された指示通知を受信するとタイマー１４を制御してステップＳＧ２で時間の計測を開始した時から当該指示通知を受信した時までの経過時間を計測し、当該計測した経過時間をエネルギー使用量記憶手段１１ｂに格納すると共にアップロード実行手段１０ｅへ転送し、アップロード実行手段１０ｅは当該転送された経過時間が所定の制限時間内であるか否かを判定し、当該判定の結果が“所定の制限時間内である”というものであった場合（ステップＳＧ５：Ｙｅｓ）には位置情報取得手段１０ａを制御して携帯機器１の認証を開始し、位置情報取得手段１０ａはＧＰＳ受信機１６を制御して当該携帯機器１の位置情報を取得し、当該取得した位置情報をサーバ認証制御手段１０ｂへ転送する（ステップＳＧ６）。
【０２２３】
つぎに、サーバ認証制御手段１０ｂはステップＳＧ６で転送された位置情報および携帯ＩＤ記憶手段１１ａに記憶されている携帯ＩＤをサーバ通信手段１０ｈへ転送し、サーバ通信手段１０ｈはネットワーク通信部１５を制御して当該転送された位置情報および携帯ＩＤを管理サーバ２へ送信する（ステップＳＧ７）。
【０２２４】
そして、サーバ通信手段１０ｈはネットワーク通信部１５を制御して管理サーバ２から送信された認証結果を受信し、当該受信した認証結果をサーバ認証制御手段１０ｂへ転送し、サーバ認証制御手段１０ｂは当該転送された認証結果をアップロード実行手段１０ｅへ転送し、アップロード実行手段１０ｅは当該転送された認証結果が“認証ＯＫ”を意味するものであった場合（ステップＳＧ１２：Ｙｅｓ）にはステップＳＧ３でエネルギー使用量記憶手段１１ｂに格納した消費電力および家電ＩＤを正常アップロードということでサーバ通信手段１０ｈへ転送し、サーバ通信手段１０ｈはネットワーク通信部１５を制御して当該転送された消費電力および家電ＩＤを管理サーバ２へアップロードする（ステップＳＧ１３）。
【０２２５】
なお、アップロード実行手段１０ｅは、当該判定の結果が“所定の制限時間内である”というものでなかった場合（ステップＳＧ５：Ｎｏ）や、当該認証結果が“認証ＯＫ”を意味するものでなかった場合（ステップＳＡ７：Ｎｏ）には、ステップＳＧ３でエネルギー使用量記憶手段１１ｂに格納した消費電力および家電ＩＤをアップロード失敗または認証エラーということでエネルギー使用量記憶手段１１ｂからリセット（消去）する（ステップＳＧ１４）。
【０２２６】
以上説明したように、本処理は、携帯機器１側で時間を計測してアップロードの可否を判断する場合の一例であったが、管理サーバ２側で時間を計測してアップロードの可否を判断してもよい。
【０２２７】
［３−６．処理（その６）］
図１１は、本システムで行われる処理（その６）の一例を示すフローチャートである。なお、ここでは、上述した説明と重複するものを省略する場合がある。
【０２２８】
ユーザが携帯機器１の入力部１２にある“収集開始ボタン”を押下して消費電力の収集開始を指示すると、当該指示を受けたＣＰＵ１０はエネルギー使用量収集制御手段１０ｃを起動し（ステップＳＨ１）、エネルギー使用量収集制御手段１０ｃは制限時間取得手段１０ｋを制御して消費電力の取得可能時間および消費電力の送信可能時間を管理サーバ２から取得し、当該取得した取得可能時間をアップロード指示手段１０ｄへ転送すると共に当該取得した送信可能時間をアップロード実行手段１０ｅへ転送する（ステップＳＨ２）。
【０２２９】
アップロード指示手段１０ｄはアップロードの指示を受けた場合にはアップロードの指示通知を時間計測制御手段１０ｇへ転送し、時間計測制御手段１０ｇは当該転送されたアップロードの指示通知を受信するとタイマー１４を制御してステップＳＨ３で時間の計測を開始した時またはステップＳＨ４で消費電力を収集した時から当該指示通知を受信した時までの経過時間である“送信経過時間”を計測し、当該計測した送信経過時間をエネルギー使用量記憶手段１１ｂに格納すると共にアップロード実行手段１０ｅへ転送し、アップロード実行手段１０ｅは、当該転送された送信経過時間がステップＳＨ２で転送された送信可能時間内であるか否かを判定し、当該判定の結果が“送信可能時間内である”というものであった場合（ステップＳＨ７：Ｙｅｓ）には位置情報取得手段１０ａを制御して携帯機器１の認証を開始し、位置情報取得手段１０ａはＧＰＳ受信機１６を制御して当該携帯機器１の位置情報を取得し、当該取得した位置情報をサーバ認証制御手段１０ｂへ転送する（ステップＳＨ８）。
【０２３０】
なお、アップロード指示手段１０ｄは、当該判定の結果が“取得可能時間内である”というものでなかった場合（ステップＳＨ５：Ｎｏ）には、ステップＳＨ４でエネルギー使用量記憶手段１１ｂに格納した消費電力および家電ＩＤをアップロード失敗ということでエネルギー使用量記憶手段１１ｂからリセット（消去）し、アップロード実行手段１０ｅは、当該判定の結果が“送信可能時間内である”というものでなかった場合（ステップＳＨ７：Ｎｏ）や、当該認証結果が“認証ＯＫ”を意味するものでなかった場合（ステップＳＨ１４：Ｎｏ）には、ステップＳＨ４でエネルギー使用量記憶手段１１ｂに格納した消費電力および家電ＩＤをアップロード失敗または認証エラーということでエネルギー使用量記憶手段１１ｂからリセット（消去）する（ステップＳＨ１６）。
【０２３１】
以上説明したように、本処理は、収集した消費電力の採用の判断や消費電力のアップロードの可否の判断を時間に基づいて行う場合の一例であったが、これらの判断を距離に基づいて行ってもよい。
【０２３２】
［３−７．処理（その７）］
図１２は、本システムで行われる処理（その７）の一例を示すフローチャートである。なお、ここでは、上述した説明と重複するものを省略する場合がある。
【０２３３】
ユーザが携帯機器１の入力部１２にある“収集開始ボタン”を押下して消費電力の収集開始を指示すると、当該指示を受けたＣＰＵ１０はエネルギー使用量収集制御手段１０ｃを起動し（ステップＳＩ１）、エネルギー使用量収集制御手段１０ｃは家庭用機器通信手段１０ｆを制御して家庭用機器３で消費した消費電力および当該家庭用機器３の家電ＩＤを収集し、当該収集した消費電力および家電ＩＤをエネルギー使用量記憶手段１１ｂに格納すると共に、アップロードの指示依頼をアップロード指示手段１０ｄへ転送する（ステップＳＩ２）。
【０２３４】
アップロード実行手段１０ｅはステップＳＩ４で距離検知手段１０ｉから転送された距離が一定距離内であるか否かを判定し、当該判定の結果が“一定距離内である”というものであった場合（ステップＳＩ５：Ｙｅｓ）には位置情報取得手段１０ａを制御して携帯機器１の認証を開始し、位置情報取得手段１０ａはＧＰＳ受信機１６を制御して当該携帯機器１の位置情報を取得し、当該取得した位置情報をサーバ認証制御手段１０ｂへ転送する（ステップＳＩ６）。
【０２３５】
なお、アップロード実行手段１０ｅは、当該判定の結果が“一定距離内である”というものでなかった場合（ステップＳＩ５：Ｎｏ）や、当該認証結果が“認証ＯＫ”を意味するものでなかった場合（ステップＳＩ１２：Ｎｏ）には、にはステップＳＩ２でエネルギー使用量記憶手段１１ｂに格納した消費電力および家電ＩＤをアップロード失敗または認証エラーということでエネルギー使用量記憶手段１１ｂからリセット（消去）する（ステップＳＩ１４）。
【０２３６】
以上説明したように、本処理は、収集した消費電力を個々に管理サーバ２へアップロードする場合の一例であったが、図１３に示すように、収集した複数の消費電力をまとめて管理サーバ２へアップロードしてもよい。図１３は、本システムで行われる処理（その７）の別の一例を示すフローチャートである。なお、ここでは、上述した説明と重複するものを省略する場合がある。
【０２３７】
エネルギー使用量収集制御手段１０ｃは家庭用機器通信手段１０ｆを制御して複数の家庭用機器３（例えばある宅に設置されている全ての家庭用機器３）に対してステップＳＪ２を繰り返し行い（ステップＳＪ３：Ｙｅｓ）、複数の家庭用機器３に対してステップＳＪ２を終えると（ステップＳＪ３：Ｎｏ）、ステップＳＪ２で収集した消費電力の管理サーバ２へのアップロードの指示依頼をアップロード指示手段１０ｄへ転送する。
【０２３８】
アップロード指示手段１０ｄはアップロードの指示を受けた場合にはアップロードの指示通知を距離検知手段１０ｉへ転送して距離検知手段１０ｉに、ステップＳＪ２で消費電力が収集された複数の家庭用機器３のうちの少なくとも１つの家庭用機器３に対して携帯機器１と家庭用機器３との間の距離を検出させる（ステップＳＪ５）。
【０２３９】
アップロード実行手段１０ｅはステップＳＪ５で距離検知手段１０ｉから転送された複数の距離のそれぞれが一定距離内であるか否かを判定し、当該転送された距離が“一定距離内である”と判定された場合（ステップＳＪ６：Ｙｅｓ）には位置情報取得手段１０ａを制御して携帯機器１の認証を開始し、位置情報取得手段１０ａはＧＰＳ受信機１６を制御して当該携帯機器１の位置情報を取得し、当該取得した位置情報をサーバ認証制御手段１０ｂへ転送する（ステップＳＪ７）。
【０２４０】
アップロード実行手段１０ｅは当該認証結果が“認証ＯＫ”を意味するものであった場合（ステップＳＪ１３：Ｙｅｓ）には、“一定距離内である”との判定を受けた距離と対応付けてエネルギー使用量記憶手段１１ｂに格納した消費電力および家電ＩＤを正常アップロードということで複数まとめてサーバ通信手段１０ｈへ転送し、サーバ通信手段１０ｈはネットワーク通信部１５を制御して当該転送された複数の消費電力および家電ＩＤを管理サーバ２へアップロードする（ステップＳＪ１４）。
【０２４１】
なお、アップロード実行手段１０ｅは、当該転送された距離が“一定距離内である”と判定されなかった場合（ステップＳＪ６：Ｎｏ）や、当該認証結果が“認証ＯＫ”を意味するものでなかった場合（ステップＳＪ１３：Ｎｏ）には、ステップＳＪ２でエネルギー使用量記憶手段１１ｂに格納した消費電力および家電ＩＤをアップロード失敗または認証エラーということでエネルギー使用量記憶手段１１ｂからリセットする（ステップＳＪ１５）。
【０２４２】
以上説明したように、本処理は、アップロードの可否を距離に基づいて判断する場合の一例であったが、アップロードの可否を時間に基づいて判断してもよい。
【０２４３】
［３−８．処理（その８）］
図１４は、本システムで行われる処理（その８）の一例を示すフローチャートである。なお、ここでは、上述した説明と重複するものを省略する場合がある。
【０２４４】
アップロード実行手段１０ｅは、繰り返し行われたステップＳＫ２でエネルギー使用量記憶手段１１ｂに格納した複数の順番の並びである取得順序がステップＳＫ５で転送された取得ルールと一致しているか否かを判定し、当該判定の結果が“一致している”というものであった場合（ステップＳＫ６：Ｙｅｓ）には位置情報取得手段１０ａを制御して携帯機器１の認証を開始し、位置情報取得手段１０ａはＧＰＳ受信機１６を制御して当該携帯機器１の位置情報を取得し、当該取得した位置情報をサーバ認証制御手段１０ｂへ転送する（ステップＳＫ７）。
【０２４５】
アップロード実行手段１０ｅは、当該認証結果が“認証ＯＫ”を意味するものであった場合（ステップＳＫ１２：Ｙｅｓ）には、ステップＳＫ２でエネルギー使用量記憶手段１１ｂに格納した消費電力および家電ＩＤを正常アップロードということで複数まとめてサーバ通信手段１０ｈへ転送し、サーバ通信手段１０ｈはネットワーク通信部１５を制御して当該転送された複数の消費電力および家電ＩＤを管理サーバ２へアップロードする（ステップＳＫ１３）。
【０２４６】
なお、アップロード実行手段１０ｅは、当該判定の結果が“一致している”というものでなかった場合（ステップＳＫ６：Ｎｏ）や、当該認証結果が“認証ＯＫ”を意味するものでなかった場合（ステップＳＫ１２：Ｎｏ）には、ステップＳＫ２でエネルギー使用量記憶手段１１ｂに格納した消費電力および家電ＩＤをアップロード失敗または認証エラーということでエネルギー使用量記憶手段１１ｂからリセットする（ステップＳＫ１４）。
【０２４７】
［４．本実施の形態のまとめ］
以上、本実施の形態について詳細に説明したが、本実施の形態によれば、消費電力の取得からアップロードまでの時間に制限を設けることで、当該消費電力の不正アップロードを効果的に防ぐことができ、排出権取引に関する省エネ活動を適正に換金できる。また、本実施の形態によれば、携帯機器１は消費電力のアップロードに先行して、管理サーバ２でユーザ・位置認証（携帯ＩＤ、家電ＩＤおよび位置情報による認証）を実施した時刻近傍（前後）の一定時間有効となる家庭用機器３ごとのＲＦＩＤリーダアクセス許容時間およびアップロード許容時間を獲得する手段を備え、家庭用機器３からの消費電力の取得および当該取得した消費電力のアップロードのそれぞれに対し時間的制約を持たせるので、当該消費電力の不正アップロードを一層効果的に防ぐことができ、排出権取引に関する省エネ活動を適正に換金できる。
【０２４８】
また、本実施の形態によれば、該当する家庭用機器３が一定距離内にいることを検出する家電距離検知手段を携帯機器側に設け、消費電力のアップロード時（若しくはその近傍時間内）に先立って実行された距離検知結果に基づき制限を設けるので、当該消費電力の不正アップロードを効果的に防ぐことができ、排出権取引に関する省エネ活動を適正に換金できる。また、本実施の形態によれば、アップロード対象の複数の家庭用機器３を登録することができるエントリーテーブルを携帯機器１側に設け、ユーザによる一度のアップロード操作によりエントリーテーブルに従って各家庭用機器３の家電距離検知／アップロードの処理を連続的に実施することができる手段を備えるので、アップロード時（近傍時刻）に家電距離検知処理を行うことで複数の消費電力の取得を先に済ましてから当該複数の消費電力のアップロードを一括して行うことができ、ユーザ側にとって簡便なシステムを提供することができる。
【０２４９】
また、本実施の形態によれば、複数の家庭用機器３の消費電力をアップロードする際、当該アップロードのルールを予め設定することで、どの家庭用機器３から順番に消費電力をアップロードし、次の家庭用機器３の消費電力をアップロードするまでの時間に制限を設け、全ての消費電力が正しいルールに基づいてアップロードされた場合にのみ当該アップロードされた全ての消費電力を正しいものと判断するので、当該消費電力の不正アップロードを効果的に防ぐことができ、排出権取引に関する省エネ活動を適正に換金できる。
【産業上の利用可能性】
【０２５０】
本発明にかかる家庭用機器のエネルギー使用量登録方法、携帯機器およびプログラムは、電気通信事業分野など産業上の様々な分野において有用であり、特に省エネ活動に基づく排出権取引サービスに適している。
【図面の簡単な説明】
【０２５１】
【図１】本実施の形態の概要を示す図
【図２】本システムの物理構成の一例を示すブロック図
【図３】本システムの機能構成の一例を示すブロック図
【図４】本システムで行われる処理（その１）の一例を示すフローチャート
【図５】本システムで行われる処理（その１）の別の一例を示すフローチャート
【図６】本システムで行われる処理（その２）の一例を示すフローチャート
【図７】本システムで行われる処理（その３）の一例を示すフローチャート
【図８】本システムで行われる処理（その３）の別の一例を示すフローチャート
【図９】本システムで行われる処理（その４）の一例を示すフローチャート
【図１０】本システムで行われる処理（その５）の一例を示すフローチャート
【図１１】本システムで行われる処理（その６）の一例を示すフローチャート
【図１２】本システムで行われる処理（その７）の一例を示すフローチャート
【図１３】本システムで行われる処理（その７）の別の一例を示すフローチャート
【図１４】本システムで行われる処理（その８）の一例を示すフローチャート
【符号の説明】
【０２５２】
１    携帯機器
２    管理サーバ
３    家庭用機器（家電）
１０    ＣＰＵ
１０ａ    位置情報取得手段
１０ｂ    サーバ認証制御手段
１０ｃ    エネルギー使用量収集制御手段
１０ｄ    アップロード指示手段
１０ｅ    アップロード実行手段
１０ｆ    家庭用機器通信手段
１０ｇ    時間計測制御手段
１０ｈ    サーバ通信手段
１０ｉ    距離検知手段
１０ｊ    取得ルール確認手段
１０ｋ    制限時間取得手段
１１    メモリ
１１ａ    携帯ＩＤ記憶手段
１１ｂ    エネルギー使用量記憶手段
１２    入力部
１３    表示部
１４    タイマー
１５    ネットワーク通信部
１６    ＧＰＳ受信機
１７    無線タグリーダ
１８    無線通信部（距離検知用）
２０    ＣＰＵ
２０ａ    認証手段
２０ｂ    排出量計測手段
２１    メモリ
２１ａ    制限時間記憶手段
２１ｂ    取得ルール記憶手段
２２    外部記憶装置
２３    ネットワーク通信部
２４    入力部
２５    表示部
３０    ＣＰＵ
３０ａ    エネルギー使用量計測手段
３０ｂ    携帯機器通信手段
３０ｃ    電界強度計測手段
３１    メモリ
３１ａ    家電ＩＤ記憶手段
３１ｂ    エネルギー使用量記憶手段
３２    入力部
３３    無線タグ
３４    電力計測部
３５    無線通信部（距離検知用）
【図１】
2010102373.tif 000003
【図２】
2010102373.tif 000004
【図３】
2010102373.tif 000005
【図４】
2010102373.tif 000006
【図５】
2010102373.tif 000007
【図６】
2010102373.tif 000008
【図７】
2010102373.tif 000009
【図８】
2010102373.tif 000010
【図９】
2010102373.tif 000011
【図１０】
2010102373.tif 000012
【図１１】
2010102373.tif 000013
【図１２】
2010102373.tif 000014
【図１３】
2010102373.tif 000015
【図１４】
2010102373.tif 000016